(57)【要約】移動するカバー（Ｅ1、Ｅ2）内に１つ以上の物品（Ｇ1、Ｇ2）を挿入する装置であって、カバー搬送機構（１００）と、少なくとも部分的にカバー（Ｅ1、Ｅ2）内に移送し、カバー（Ｅ1、Ｅ2）の移送の少なくとも一部の間、カバー（Ｅ1、Ｅ2）の範囲内に維持されるように構成された少なくとも１つの装填補助機構（３００）を備える。【選択図】図１
2013531583.tif 000002
【特許請求の範囲】
【請求項１】
移動するカバー（Ｅ1、Ｅ2）に１つ以上の物品（Ｇ1、Ｇ2）を挿入する装置であって、
カバー搬送機構（１００）と、
少なくとも部分的に前記カバー（Ｅ1、Ｅ2）内に移送し、前記カバー（Ｅ1、Ｅ2）の少なくとも一部の移送の間、前記カバー（Ｅ1、Ｅ2）の範囲内に維持されるように構成された、少なくとも１つの装填補助機構と、
を備えた、装置。
【請求項２】
前記カバー（Ｅ1，Ｅ2）と前記１つ以上の物品（Ｇ1，Ｇ2）を移送することができるパスを備え、前記装填補助機構（３１９，３２９）は、前記パスの少なくとも一部に沿って移送されるように構成された、請求項１に記載の装置。
【請求項３】
前記パスは、実質的に前記カバー（Ｅ1，Ｅ2）の搬送方向と前記物品の搬送方向に延在し、前記カバーの開口部が、前記カバーの搬送方向（Ｆ）に対して横方向に配置された、請求項２に記載の装置。
【請求項４】
前記装填補助機構（３１０、３２０）は、コンベヤ（３０２、３０４）を備えた、請求項１〜３のいずれかに記載の装置。
【請求項５】
前記装填補助機構（３１０、３２０）は、前記コンベヤ（３０２，３０４）に対して着脱自在にマウントされた、請求項４に記載の装置。
【請求項６】
前記コンベヤ（３０２、３０４）に沿って連続的に配置された少なくとも２つの前記装填補助機構（３１０、３２０）が提供された、請求項４または５に記載の装置。
【請求項７】
前記少なくとも２つの装填補助機構（３１０、３２０）は、前記コンベヤ（３０２、３０４）に選択的に接続可能である、請求項６に記載の装置。
【請求項８】
前記装填補助機構（３１０、３２０）のコンベヤは、前記パスの第１のサイド上に、前記パスの少なくとも一部に沿って配置された第１のコンベヤ（３０２）と、前記第１のサイドの反対側の前記パスの第２のサイド上に、前記パスの少なくとも一部に沿って配置された第２のコンベヤ（３０４）とを備えた、請求項４〜７のいずれかに記載の装置。
【請求項９】
前記装填補助機構（３１０、３２０）は、物品移送方向（Ｆ）に対して横方向においてお互いから距離を持って配置された少なくとも２つの装填エレメントを備えた、請求項１〜８のいずれかに記載の装置。
【請求項１０】
前記装填エレメントは、前記カバー（Ｅ1、Ｅ2）内に、横方向または上から移送されるように配置された、請求項９に記載の装置。
【請求項１１】
前記装填エレメントの距離は、前記挿入される１つ以上の物品（Ｇ1、Ｇ2）に依存して調節可能である、請求項９または１０に記載の装置。
【請求項１２】
前記装填補助機構（３１０、３２０）は、物品移送方向（Ｆ）に沿って前方端と後方端を備え、前記装填補助機構（３１０、３２０）は、前方端に向かって狭くなる、請求項１〜１１のいずれかに記載の装置。
【請求項１３】
前記装填補助機構（３１０、３２０）は、挿入の間、前記１つ以上の物品（Ｇ1、Ｇ2）がその間で移送される下部ガイド（３１０ａ）と上部ガイド（３１０ｂ）を備え、前記上部ガイドと下部ガイド（３１０ａ、３１０ｂ）は、お互いに対して相対的に移動可能であり、前記上部ガイドと下部ガイド（３１０ａ、３１０ｂ）の間の距離は、前記１つ以上の物品（Ｇ1、Ｇ2）の厚さに適合することができる、請求項１２に記載の装置。
【請求項１４】
前記装填補助機構（３１０、３２０）と前記カバー搬送機構は、それぞれドライブを備える、請求項１〜１３のいずれかに記載の装置。
【請求項１５】
前記カバー搬送機構（１００）と前記装填補助機構（３１０、３２０）は、お互いに独立して駆動され、前記装填補助機構（３１０、３２０）は、前記カバー搬送機構（１００）が前記カバー（Ｅ1、Ｅ2）を移送する速度に対して遅いまたは等しい第１の速度で移送されるように構成された、請求項１〜１４のいずれかに記載の装置。
【請求項１６】
前記装填補助機構（３１０、３２０）が前記カバー（Ｅ1、Ｅ2）内に移送される深さを調整するように動作する制御装置を備えた、請求項１〜１５のいずれかに記載の装置。
【請求項１７】
前記装填補助機構（３１０、３２０）は、前記カバー（Ｅ1、Ｅ2）内に、予め定められた距離だけ移送されるように構成された、請求項１〜１６に記載された装置。
【請求項１８】
前記予め定められた距離は、調節可能である、請求項１７に記載の装置。
【請求項１９】
前記予め定められた距離は、前記カバー（Ｅ1、Ｅ2）の特性、および／または、前記カバー（Ｅ1、Ｅ2）内に挿入される前記１つ以上の物品（Ｇ1、Ｇ2）の特性に依存する、請求項１８に記載の装置。
【請求項２０】
前記１つ以上の物品（Ｇ1、Ｇ2）の特性は、前記１つ以上の物品（Ｇ1、Ｇ2）の厚さまたはフォーマットを含み、前記１つ以上の物品（Ｇ1、Ｇ2）の厚さは、多数の個々のエレメントによって決定することができる、請求項１９に記載の装置。
【請求項２１】
前記カバー（Ｅ1、Ｅ2）は、包装材を含み、前記包装材は、包装材フラップ（Ｆ1、Ｆ2）を備える第１のサイドと、前記包装材フラップを有するサイドの反対にある第２のサイドとを備えた、請求項１〜２０のいずれかに記載の装置。
【請求項２２】
前記装填補助機構（３１０、３２０）は、移動可能であり、装填プロセスの始めに、前記装填補助機構（３１０、３２０）を予め定められた距離だけ前記包装材内に移送する制御が提供され、前記１つ以上の物品（Ｇ1、Ｇ2）を挿入する挿入装置において、前記包装材の開口を維持する装置が提供される、請求項２１に記載の装置。
【請求項２３】
付加的なカバー搬送機構（８００）を備える、請求項１〜２２のいずれかに記載の装置。
【請求項２４】
前記付加的カバー搬送機構（８００）は、前記装填された包装材を、前記カバー搬送機構（１００）より速い、前記装填補助機構（３００）の速度より速い、および／または、前記物品搬送機構（４００）の速度より速い速度で搬送するように構成された、請求項２３に記載の装置。
【請求項２５】
前記付加的カバー搬送機構（８００）は、吸引搬送機構を備えた、請求項２３または２４に記載の装置。
【請求項２６】
カバー（Ｅ1、Ｅ2）内に１つ以上の物品（Ｇ1、Ｇ2）を挿入する装置であって、
カバー（Ｅ1、Ｅ2）と挿入される１つ以上の物品（Ｇ1、Ｇ2）を移送することができるパスであって、前記１つ以上の物品（Ｇ1、Ｇ2）を前記カバー（Ｅ1、Ｅ2）より速い速度で移送するように構成されたパスと、
請求項１〜２５のいずれかに記載された装置と、
を備えた装置。
【請求項２７】
移動するカバー（Ｅ1、Ｅ2）内に１つ以上の物品（Ｇ1、Ｇ2）を挿入する方法であって、
前記カバー（Ｅ1、Ｅ2）を移送するステップと、
装填補助機構（３１０、３２０）を、少なくとも部分的に前記カバー（Ｅ1、Ｅ2）内に移送するステップと、
前記装填補助機構（３１０、３２０）が、前記カバー（Ｅ1、Ｅ2）の移送の少なくとも一部の間、前記カバー（Ｅ1、Ｅ2）の範囲内に配置されるように、前記カバー（Ｅ1、Ｅ2）と前記装填補助機構（３１０、３２０）を移送するステップと、
を備えた、方法。
【請求項２８】
前記装填補助機構（３１０、３２０）を、予め定められた距離だけ前記カバー（Ｅ1、Ｅ2）内に移送する、請求項２７に記載の方法。
【請求項２９】
前記装填補助機構（３１０、３２０）を前記カバー（Ｅ1、Ｅ2）内に移送する深さが調整される、請求項２７または２８に記載の方法。
【請求項３０】
前記１つ以上の物品（Ｇ1、Ｇ2）が少なくとも部分的に前記カバー（Ｅ1、Ｅ2）内に配置されるときに、前記装填補助機構（３１０、３２０）が前記カバー（Ｅ1、Ｅ2）から除去される、請求項２７〜２９のいずれかに記載の方法。
【請求項３１】
前記装填補助機構（３１０、３２０）が、能動的にまたは受動的に前記カバー（Ｅ1、Ｅ2）から除去される、請求項３０に記載の方法。
【請求項３２】
前記装填補助機構（３１０、３２０）の前記カバー（Ｅ1、Ｅ2）からの能動的な除去は、前記装填補助機構（３１０、３２０）を前記カバー（Ｅ1、Ｅ2）から追いやるステップ、または、前記装填補助機構（３１０、３２０）を外に揺らすステップを備え、受動的な除去は、前記カバー（Ｅ1、Ｅ2）を、前記装填補助機構（３１０、３２０）よりも速く移送するステップを備える、請求項３１に記載の方法。
【請求項３３】
前記装填補助機構（３１０、３２０）は、前記カバー（Ｅ1、Ｅ2）の装填の間または後に、前記カバー（Ｅ1、Ｅ2）から除去される、請求項３０〜３２に記載の方法。
【請求項３４】
前記装填補助機構（３１０、３２０）は、前記１つ以上の物品（Ｇ1、Ｇ2）を挿入する挿入装置において、前記カバー（Ｅ1、Ｅ2）の開口を維持するために、前記装填プロセスの始めにおいて、前記カバー（Ｅ1、Ｅ2）内に予め定められた距離だけ移送される、請求項２７〜３３のいずれかに記載の方法。
【発明の詳細な説明】
【技術分野】
【０００１】
本発明の実施形態は、カバー内に物品を挿入する分野に関し、より詳しくは、可動カバー内、例えば包装材に１つ以上の物品を挿入する装置における装填補助機構に関する。
【背景技術】
【０００２】
従来技術において、包装材のようなカバー内に１つ以上の物品を挿入するさまざまなアプローチが知られている。１つのアプローチによれば、装填プロセスの間、包装材は停止され、物品のみが移送されて包装材内に挿入される。この種の挿入装置による問題は、１つ以上の物品を装填するとき、および装填プロセスを完了した後に、包装材を止める必要があることを意味する起動／停止モードで作動することである。包装材は装填位置から移送され、次の包装材は装填位置に配置され、この新たな包装材内に１つ以上の物品を装填することを可能にするために再び停止される。この種の挿入装置による問題は、スループット、すなわち所定の期間、例えば１時間内に、１つ以上の物品を装填することができる包装材の数が、装填プロセスの間に包装材を減速し、停止し、そして加速する必要性により、制限されることである。更に、挿入装置の各部品、物品および／または包装材の機械的摩耗とストレスは非常に高い。
【０００３】
カバー内に１つ以上の物品を挿入する他のアプローチは、装填プロセスの間、１つ以上の物品とカバーの両方を移送することである。このようなアプローチは、例えば特許文献１〜７に記載されている。１つ以上の物品と包装材の搬送方向は同じ方向に平行に延在するが、装填プロセスは、１つ以上の物品、包装材または両方がお互いに向かって搬送方向に対して角度をもって移送されるようになる。装填パスの始めにおいて、包装材と１つ以上の物品は、お互いに向かって角度を持って移送される１つ以上の物品および／または包装材と並んで移動する。結局、物品と包装材は、物品の角度をもった移送により、それらが包装材内に装填されるように合流する。物品の各々に対して装填ポケットが用いられる場合には、例えば特許文献２または６に記載されたように、複数の個々のポケットが必要であり、それらは出発点に返される必要があり、その結果、付加的な搬送が必要となり、必要な部品の数ならびにコストを一層増加させる。この種の装填プロセスのさらに他の問題は、角度をもった搬送による包装材と物品に印加される高い運動力である。更に、物品と包装材に対して平行搬送を提供する必要性は、例えば各位置でそれぞれのガイドが必要とされるという事実により、コストを増大する。必要な据え付けスペースに関して、非常に冗長なセットアップが必要とされ、ならびに２つの搬送を平行に載置するための付加的なスペースが必要とされる。また、フォーマットを変更するための時間および労力は高く（例えば、新たなフォーマットへの調整のためにポケットの複数のエレメントを修正する必要がある）、そして、基本的にこれらのアプローチは処理されるフォーマットに関してフレキシブルでない。加えて、移動する多くの部品によって、デバイスの動作は非常にノイズが多い。
【０００４】
さらに他のアプローチは、１つ以上の物品とカバーまたは包装材を、包装材が１つ以上の物品より少なくとも多少ゆっくり移送されるという方法で、共通の装填または挿入パスに沿って移送し、その結果、装填パスに沿って１つ以上の物品が結局は包装材を「追い越す」が、包装材は開口された包装材スロートを有するので、このプロセスは物品を包装材内に装填することに結果としてなることを教示する。このようなアプローチは、例えば特許文献８または９に記載されている。これらのアプローチによって、装填プロセスの間、包装材は装填パスに沿って連続的に移送され、装填パスに沿った包装材の搬送は、装填パスの両サイド上に提供され、包装材本体の横方向の内側エッジに係合される装填エレメントによって達成される。しかしながら、装填エレメントは停止された包装材内に挿入され、挿入パスに沿って装填エレメントを移送することは、挿入パスに沿った包装材の搬送を引き起こす。このアプローチの欠点は、装填エレメントが包装材の搬送を引き起こし、その結果、これらの包装材の装填エレメント上への正確な載置が必要とされることである。それ故、例えば約１．５ｍｍの範囲とすることができる製造公差によるフォーマットにおいて偏差がある場合には、包装材のハンドリングは難しくなる。包装材の幅方向におけるこのような公差は、包装材が装填エレメント上にクランプされる、または装填エレメントによってゆるく保持される、のいずれかに結果としてなるが、いずれにせよ包装材の信頼性の高い搬送は可能でない。クランプが起こる場合には、装填された包装材の装填エレメントからの除去は難しい。更に、搬送メカニズムを能動的に減速することは、包装材が装填エレメントを外れることに結果としてなるので、可能でない。また、処理されるフォーマットの簡単な変更を可能にするフレキシビリティがない。特許文献８または９のアプローチによるさらに他の問題は、上述したように、包装材の寸法の公差が考慮されないことである。装填エレメントは、包装材の搬送も提供するので、包装材に依存して調整されることを必要とする。更なる欠点は、物品が紙の単一シートのみを含む場合に、物品搬送機構による装填エレメントからの包装材の除去が難しいことである。この場合、物品搬送機構によって印加される力は、装填エレメントによる包装材の移送が開始される前に、シートにダメージを与える可能性がある。更に、装填エレメントが包装材内にどれくらい移動するかを、例えば物品の厚さに依存して、むしろ挿入される物品の厚さに無関係に制御する可能性はなく、装填エレメントは包装材内に完全に挿入されなければならない。すなわち、包装材が挿入される物品の厚さに拘りなくなくかかるように、常に固定位置まで挿入される。更に、特許文献９によれば、包装材のフラップは、包装材を減速させる吸引レールによって保持され、その結果、装填エレメントとの接触が維持されるが、可能な制御または調節はない。更に、物品搬送機構を用いて装填された包装材を除去するとき、付加的な吸引レールの供給とその減速動作は、装填エレメントから包装材を除去するために包装材に高い力を印加する必要があり、それは当然に、装填プロセスが既に完了した後でさえも、結果としてダメージと起こりうる停止になるので、難点がある。更に、このアプローチは、例えば全てのドライブの単一の主軸を介した必要な機械的結合により、高い機械的労力を必要とする。
【０００５】
特許文献８または９に記載されたアプローチによる他の問題は、装填エレメントが包装材の対向する横方向エッジと係合するので、包装材の中央部分が垂れ下がることである。より大きいフォーマット、例えば大きい横方向寸法を有するフォーマットの場合には、挿入される１つ以上の物品が、結果として停止になる垂れ下っている包装材サイドと衝突する可能性があるという深刻な問題があり、その結果、信頼性の高い装填が可能でない。
【０００６】
特許文献８または９に記載されたアプローチによるさらに他の問題は、物品と包装材が移送され、その結果、物品の前縁と包装材フラップのエッジとの間のギャップを回避するために、各エレメントの動作を慎重に制御する必要があることである。このようなギャップが生成される場合には、物品と包装材フラップは衝突する可能性がある。これは、短いフラップによって特に問題となる問題である。
【先行技術文献】
【特許文献】
【０００７】
【特許文献１】独国特許出願公開第４２０５１９７号明細書
【特許文献２】国際公開第９４／２７８３２号
【特許文献３】米国特許出願公開第４５２５９８６号明細書
【特許文献４】米国特許出願公開第３８５８３８１号明細書
【特許文献５】米国特許出願公開第４８１７３６８号明細書
【特許文献６】米国特許出願公開第５４３０９００号明細書
【特許文献７】国際公開第２００２／０９６６７０号
【特許文献８】米国特許出願公開第３４２３９００号明細書
【特許文献９】欧州特許出願公開第１４１８８４０号明細書
【発明の概要】
【０００８】
上述した先行技術解法の欠点を克服するため、本発明の目的は、移動するカバー内に１つ以上の物品を挿入する改良されたアプローチを提供することである。
【０００９】
この目的は、請求項１の装置によって、そして請求項２７の方法によって達成される。
【００１０】
本発明の実施形態は、カバー搬送機構と、少なくとも部分的にカバー内へ移送し、カバーの移送の少なくとも一部の間、カバーの範囲内に維持されるように構成された少なくとも１つの装填補助機構とを備えた、移動するカバー内に１つ以上の物品を挿入する装置を提供する。
【００１１】
本発明の実施形態は、カバーを移送するステップと、装填補助機構を少なくとも部分的にカバー内に挿入するステップと、装填補助機構が、カバーの移送の少なくとも一部の間、カバーの範囲内に配置されるように、カバーと装填補助機構を移送するステップとを備えた、移動するカバー内に１つ以上の物品を挿入する方法を提供する。
【００１２】
このように、本発明の実施形態は、装填プロセスが「連続プロセス」であるシステムを記述する。これは、包装材（カバー）と挿入材（１つ以上の物品）が、同じ方向であるが、異なる速度レベルで一緒に移送され、この速度レベルの差異によって、物品または挿入材が結局は包装材内に搬送されることを意味する。このアプローチは、装填エリアにおいてまたは装填パスに沿っていくつかのプロセスを並列に行うことができるので、有益である。例えば、装填パスに沿った第１の包装材の装填プロセスをまだ完了することができないが、次の包装材の開口と装填プロセスをすでに開始することができ、その結果各プロセスステップに対して、より多くの時間が利用できる。同時に、並列運転によって、スループットを増大させることができる。更に、挿入材と包装材の相互の相対運動は、比較的低い装填速度に対して、高いサイクル速度さえ可能にする。低い装填速度により、挿入材の慎重な取り扱いを保証する。
【００１３】
実施形態によれば、装填プロセスは、物品搬送機構が挿入材を照合トラックから直接受け取るようにする。包装材は、グリッパ搬送機構に設置することができ、ブローエアーによって、事前にまたは装填エリアまたは装填パスに入るにつれて開口することができる。包装材は、実施形態によれば、グリッパ搬送機構によって下部から装填パス内に搬送され、好ましくは、装填プロセスは、「ヒンジライン」指向である（ヒンジラインは包装材フラップが包装材本体に連結されるラインである）、すなわち物品の前縁が包装材のヒンジライン、例えば、挿入材の前縁、装填フィンガー、分離エレメント他に到達したときに装填プロセスがスタートする。包装材は、装填パス内に移動するとき、装填パスの前面に配置されたエアーノズルによって供給されるブローエアーによって開口される。包装材のフラップは、例えばフラップ上に置かれたシートメタルストライプによって、包装材が装填パス内に移送される間、挿入される挿入材と衝突しないように制御することができる。装填フィンガーは、開口された包装材内に移送され、装填プロセスは、装填フィンガーが開口された包装材内に移送されて挿入材の前縁がヒンジラインに位置したときに、スタートする。
【００１４】
従来のアプローチに反して、発明のアプローチによれば、装填フィンガーは、挿入材を包装材内にガイドするだけのものであり、装填パスに沿った包装材の搬送を生じさせるために提供されない。むしろ、付加的な包装材搬送機構、例えば包装材とフラップをその後方サイドの下に保持し、装填パスに沿って包装材を移送するように構成することができる吸引ベルトが提供される。吸引ベルト搬送機構は、装填フィンガーと同じまたはそれより速い速度を有することができ、その結果、搬送は装填メンバーによってではなく、包装材搬送機構のみによって遂行される。挿入材は、包装材搬送機構の速度、装填フィンガーの速度および分離デバイスの速度と比べて、物品搬送機構のより速い速度により開口された包装材内に移送される。
【００１５】
本発明の実施形態によれば、包装材サイドウォールまたは包装材ウィンドウとの衝突は、存在するならば、横方向の装填フィンガーによって回避される。更に、装填フィンガーは、内部の包装材の密着、すなわち包装材製造プロセスの間の過度な密着による可能性がある包装材の２つのサイドの密着を克服することができる。一旦装填プロセスが完了すると、底部に配置された吸引ベルト搬送機構は、オフに切替えられ、装填スライド搬送機構に等しいまたはそれより速い速度を有する能動的な出力搬送機構は、装填された包装材との接触に入り、横方向の装填ガイドからそれを後退させ、装填パスからそれを移送する。
【００１６】
更に、包装材をガイドするための分離デバイスは、例えば巡回搬送機構上に提供することができる。分離デバイスは、包装材を開口するプロセスをサポートし、および／または、装填の間、包装材の開口を保持するために提供される。それは、包装材搬送機構の上方に配置され、包装材の一部と係合することができ、これにより包装材のたるみを回避し、その結果、装填プロセスの間、包装材のカットと包装材のスロートは、挿入材との衝突から保護される。
【００１７】
実施形態によれば、物品の前縁と包装材フラップのエッジの間にギャップが生じないように、フラップホルダが提供され、その結果、同時に移送される物品と包装材の制御が容易であり、物品の前縁と包装材フラップのエッジの間の衝突が回避され、これにより信頼性の高い装填プロセスを保証する。
【００１８】
本発明の実施形態は、１つ以上の物品を包装材内に挿入する挿入装置において包装材を開口する装置であって、移動可能な挿入補助機構と、挿入プロセスの始めにおいて、挿入補助機構が予め定められた距離だけ包装材内に挿入されるように挿入補助機構を移送するように適合された制御装置とを備える装置を提供する。更に、本発明の実施形態は、物品を包装材内に挿入するために包装材を開口する方法を提供し、挿入補助機構が、挿入プロセスの始めにおいて、予め定められた距離だけ包装材内に挿入されるように移送される。
【００１９】
上述の先行技術アプローチと比べて、発明のアプローチは有益である。起動／停止アプローチによって作動する挿入装置に関して、本発明の実施形態は、挿入装置と装填プロセスに対して、結果として、装填の間、より速く、さらに物品と包装材のより少ない損耗とより少ないストレスになることを提供する。
【００２０】
更に、連続的な横方向の装填プロセスを提供するアプローチと比べて、発明のアプローチは、使用されるフォーマットに関してフレキシブルであり、それぞれのフォーマット間の変更が非常に簡単であるので、有益である。それは、必要な部品が少ないためコストが高くなく、据付に対して重要な寸法が包装材の長手方向サイドにあるので、据付に必要なスペースが小さい。包装材と物品は、並んで（角度をなさず）搬送されるので、装填パスに沿って同時に搬送される包装材と物品の数はより小さい。また、より速い装填が達成される。また、包装材と物品は並んで搬送されるので運動が低減され、次に高いプロセスの安全性に結果としてなる。
【００２１】
特許文献８または特許文献９に記載されたアプローチと比べて、発明のアプローチは、カバーまたは包装材に対して分離した搬送が提供され、すなわち、包装材の搬送が、包装材に係合する他のいかなるエレメント、例えば装填フィンガー、分離デバイスまたはフラップホルダと独立して達成されるので有益であり、搬送は公差によって異なる寸法を有する包装材を信頼性よく取り扱うことができる。更に、１つ以上の物品と包装材の両方を能動的に減速することができる。包装材は装填エレメントから分離して搬送され、分離ドライブを使用することを可能にする。さらに発明のアプローチの更なる利点は、包装材の２つのサイドの安全な分離が達成され、同時に、物品の挿入がサポートされ、ガイドされ、包装材のエッジのいかなる衝突も回避されることである。さらに、包装材は装填エレメントによって保持されないので、装填プロセスの後または間に、能動的に装填エレメントを除去することが可能である。装填フィンガーは、挿入される物品に依存して包装材内に移送することができる、すなわち、包装材は物品を受け取るために必要であるときにだけ開口される。プロセスの最後に包装材と物品を加速する必要がなく、むしろ分離ドライブによって、例えば、装填された包装材が装填エレメントから離れるように装填エレメントを低速化することができる。発明のアプローチのさらに他の利点は、包装材搬送機構を、エレメントと独立して能動的に制御することができることである。
【図面の簡単な説明】
【００２２】
本発明の実施形態は、以下に付随される図面に関してここで記載される。
【図１】本発明の実施形態による挿入装置の概略表現である。
【図２】図１のライン２―２’に沿った挿入装置の断面図を示す。
【図３Ａ】本発明の実施形態による装填プロセスを示し、図１と図２に記載された挿入装置の装填プロセスの間の表現である。
【図３Ｂ】本発明の実施形態による装填プロセスを示し、図１と図２に記載された挿入装置の装填プロセスの間の表現である。
【図３Ｃ】本発明の実施形態による装填プロセスを示し、図１と図２に記載された挿入装置の装填プロセスの間の表現である。
【図３Ｄ】本発明の実施形態による装填プロセスを示し、図１と図２に記載された挿入装置の装填プロセスの間の表現である。
【図３Ｅ】本発明の実施形態による装填プロセスを示し、図１と図２に記載された挿入装置の装填プロセスの間の表現である。
【図３Ｆ】本発明の実施形態による装填プロセスを示し、図１と図２に記載された挿入装置の装填プロセスの間の表現である。
【図３Ｇ】本発明の実施形態による装填プロセスを示し、図１と図２に記載された挿入装置の装填プロセスの間の表現である。
【図３Ｈ】本発明の実施形態による装填プロセスを示し、図１と図２に記載された挿入装置の装填プロセスの間の表現である。
【図４】単一の吸引ベルトの代わりに３つの吸引ベルトを用いた図１の挿入装置の部分平面図である。
【図５】本発明の異なる実施形態によるグリッパコンベヤを示す。
【図６】本発明の異なる実施形態によるグリッパコンベヤを示す。
【図７】本発明の異なる実施形態によるグリッパコンベヤを示す。
【図８】フラップが包装材搬送機構から離れて配置されるように包装材の位置決めを可能にする実施形態の概略表現を示す。
【図９】本発明の実施形態による装填補助機構を記載する図１の挿入装置に類似する挿入装置の概略平面図である。
【図９−１】図９Ａは薄い挿入に対する包装材内の装填フィンガーの配置を例示し、図９Ｂは厚い挿入に対する包装材内の装填フィンガーの配置を例示する。
【図１０】図１の挿入装置の装填パスの前部の拡大図を示し、図１０Ａは概略平面図であり、図１０Ｂは図１０Ａのラインｂ―ｂ’に沿った断面図である。
【図１１Ａ】図１０の位置より下流の位置での装填プロセスを示す平面図である。
【図１１Ｂ】図１１Ａのラインｂ―ｂ’に沿った断面図である。
【図１２】装填プロセスが完了した、図１１の位置より装填パスのさらに下流の状況を示し、図１２Ａは平面図であり、図１２Ｂは図１２Ａのラインｂ―ｂ’に沿った断面図である。
【図１３Ａ】装填補助機構のさらに他の実施形態を示す。
【図１３Ｂ】装填補助機構のさらに他の実施形態を示す。
【図１４】第１の幅を有する第１の包装材と挿入された装填フィンガーを示す。
【図１５】第２の幅を有する第２の包装材と挿入された装填フィンガーを示す。
【図１６】本発明の実施形態にかかる少なくとも１つの分離デバイスを用いた装填プロセスの初期状況を示し、包装材は包装材搬送機構によってすでに搬送されているが、物品はまだ包装材のヒンジラインに到着していない。
【図１７】図１６と比べて、包装材、物品および爪が搬送方向に更に移送された状況を示す。
【図１８】図１７と比べて、包装材、物品および爪が搬送方向に更に移送された状況を示す。
【図１９】装填プロセスがほぼ完了した状況を示す。
【図２０】装填プロセスが完了し、包装材の搬送が物品搬送機構によって引き継がれた状況を示す。
【図２１】本発明の他の実施形態にかかる分離デバイスを示す。
【図２２】本発明のさらに他の実施形態にかかる分離デバイスを示す。
【図２３】図１に示されたように、挿入装置において包装材の移送の少なくとも一部の間、包装材フラップをカバーするように構成された、本発明の実施形態によるフラップホルダを示す。
【図２４】フラップホルダの更なる実施形態を示し、図２４Ａは６つのフラップホルダエレメントを有するフラップホルダを示し、図２４Ｂは２つのフラップホルダエレメントのみを備える他の実施形態を示す。
【図２５】静止フラップホルダエレメントを用いた実施形態を示し、図２５Ａは包装材が包装材搬送機構に供給された初期状況を示し、図２５Ｂは包装材と物品が転送エリアを通って移送された状況を示し、図２５Ｃは包装材と物品が転送エリアを離れた状況を示す。
【図２６】可動フラップホルダエレメントを用いた実施形態を示し、図２６Ａは包装材が包装材搬送機構に供給された初期状況を示し、図２６Ｂは包装材と物品が転送エリアを通って移送された状況を示し、図２６Ｃは包装材と物品が転送エリアを離れた状況を示す。
【図２７】本発明の他の実施形態によるフラップホルダを示す。
【図２８】実施形態による調節可能なフラップホルダを示す。
【図２９】装填パスに沿って包装材とともに移動することができるフラップホルダエレメントを備えるフラップホルダの他の実施形態を示す。
【図３０Ａ】付加的な包装材搬送機構を備える実施形態の概略平面図を示す。
【図３０Ｂ】図３０Ａのラインｂ―ｂ’に沿った断面図を示す。
【図３１】付加的な包装材搬送機構の他の実施形態を示す。
【図３２】付加的な包装材搬送機構のさらに他の実施形態を示す。
【図３３】装填フィンガーを実現する代替実施形態の概略表現を示す。
【発明を実施するための形態】
【００２３】
本発明の好ましい実施形態の引き続く記述において、同じエレメントまたは同じ機能を有するエレメントは、同じ参照符号によって提供される。以下において、本発明の実施形態による異なる態様が記載される。
【００２４】
図１は、本発明の実施形態による挿入装置の概略表現である。図１は、吸引ベルト１０２の下に提供される減圧機構によって、吸引ベルト１０２上に配置される物体に対して吸引圧を印加することができるように開口を有する吸引ベルト１０２が提供される第１の部分１０４1と１０４2を有する吸引ベルト１０２を備えている包装材搬送機構１００を備える挿入装置の平面図である。更に、吸引ベルトは、吸引ベルトのこの部分においてその上に配置される物体に吸引圧が印加されないように穴が提供されない第２の部分１０６1、１０６2、１０６3を備える。吸引ベルト１０２は、部分１０４と１０６より厚い（図面の平面に対して垂直方向において）エレベーション１０８1と１０８2を更に備える。実施形態によれば、エレベーション１０８は、エレベーションが搬送方向Ｆに沿って持ち上がるように、ランプ形である。また、他の形状のエレベーションも可能である。包装材コンベヤ１００は、吸引ベルト１０２を用いて、それぞれの包装材Ｅ1とＥ2を搬送するために提供される。包装材は、包装材の本体が第１の部分１０４1、１０４2に部分的にだけ配置されるように吸引ベルト１０２上に載置されるが、それぞれのフラップＦ1とＦ2は、エレベーション１０８1、１０８2に隣接し、完全に第１の部分１０４1、１０４2上に配置され、これにより切り口１０４1、１０４2の開口を通して印加される吸引圧によって保持される。これは、フラップＦ1とＦ2が吸引ベルト上に保持されることを確実にする。ランプ形のエレベーション１０８1、１０８2は、物品を包装材が移送される搬送レベルからわずかに持ち上げさせ、その結果フラップはいかなる衝突もなしに安全に通過することができる。
【００２５】
包装材搬送機構１００は、包装材Ｅ1と１つ以上の物品Ｇ1、例えば１枚以上の紙のシートがオーバーラップを開始するところで始まり、物品が完全に包装材Ｅ1内にあるときに終わる挿入パスまたは装填パスに沿って１つ以上の包装材Ｅ1、Ｅ2を移送するために提供される。図１は、すでに装填パスを離れ、物品Ｇ3が既に挿入された更なる包装材Ｅ3を示している。更に、目下挿入装置に向かって転送され、包装材Ｅ1に追従する包装材内に挿入される物品Ｇ4が図１の左側に表されている。包装材Ｅ1〜Ｅ3は、挿入プロセスの異なるステージにおいて示され、これから分るように、全ての包装材は、物品Ｇ1〜Ｇ3を包装材内に装填することができるように、それらのフラップＦ1〜Ｆ3を開口させる。包装材Ｅ1は装填パスの始めにあり、物品Ｇ1は既にフラップＦ1を通過し、物品の前縁は包装材内にある。それによって包装材と物品が移送される異なる速度によって、物品は装填パスに沿って包装材内に装填される。包装材Ｅ2は、既に物品Ｇ2の大部分を受け取り、物品の後部または後縁はフラップＦ2のエッジを通過している。包装材Ｅ3は、フラップＦ3を完全に通過し、包装材Ｅ3内にある、すなわち物品の前縁が包装材の底部に到達した物品Ｇ3によって、既に装填されている。
【００２６】
図１に示された挿入装置は、物品Ｇ1〜Ｇ4と係合するための複数対のプッシャ２０２ａ、２０２ｂを備える物品搬送機構２００を更に備える。物品搬送機構２００は、包装材搬送機構１００より速い速度で物品を移送する。物品と包装材は、同じ搬送あるいは運搬方向Ｆに搬送される。包装材の開口は、搬送方向Ｆに対して横方向あるいは垂直に配置され、その結果、同じ方向Ｆに沿った包装材と物品の一列の移送が包装材内への物品の装填に結果としてなる。物品搬送機構は、好ましくは物品の中心に対して対称の位置において、物品Ｇ1〜Ｇ4のそれぞれの後縁と係合するプッシャ対２０２ａと２０２ｂを備える。更に、物品搬送機構２００は、包装材搬送機構１００より長い、すなわち、装填パスの前で始まり、装填パスを越えて延在する。物品搬送機構２００は、装填パスから次の処理ステーションまたは次の搬送に向けた、装填された包装材Ｅ3の除去を提供することもできる。
【００２７】
挿入装置は、チェーンまたはベルト３０８が周りに延伸する第１の駆動ローラー３０４と第２のローラー３０６を有する第１のコンベヤ３０２を備える装填補助機構３００を更に備える。チェーン３０８に沿って予め定められたインターバルで、複数の装填補助エレメントまたは装填フィンガー３１０が提供される。第１のコンベヤ３０２は、装填エレメント３１０が包装材搬送機構１００に対向するコンベヤのサイド上を搬送方向Ｆに移送され、搬送機構１００から離れて対向するサイド上を反対方向に移送される、すなわち装填フィンガー３１０が装填パスに沿って移動し、装填パスの端から装填パスの始まりまで返送されるように、配置される。装填補助機構３００は、第１のコンベヤと類似した構造を有する第２のコンベヤ３１２を更に備える。第２のコンベヤ３１２は、駆動ローラー３１４と、更なるローラー３１６と、ローラー３１４、３１６の周りに延びるチェーンまたはベルト３１８とを備える。それぞれの装填補助エレメントまたは装填フィンガー３２０は、チェーンまたはベルト３１８に配置される。装填フィンガー３２０は、包装材搬送機構１００に対向するチェーン３１８のサイド上を搬送方向Ｆに移送され、装填パスの始まりの方の後ろに向けて、反対方向において装填パスの端から返送される。駆動ローラー３０４と３１４は、２つのコンベヤがお互いに同期して作動するように、同じドライブまたはモータによって駆動することができる。装填フィンガー３２０は、包装材Ｅ1およびＥ2内に予め定められた距離だけ移送されるように提供される。より詳しくは、包装材Ｅ1に関して示されたように、装填フィンガー３１０、３２０は部分的に包装材Ｅ1内に配置され、物品Ｇ1は装填フィンガーによって包装材Ｅ1内にガイドされ、これにより物品のサイドエッジ（搬送方向に沿って）と包装材のサイドエッジ（搬送方向に沿って）の間の衝突を回避する。
【００２８】
実施形態によれば、装填フィンガー３１０、３２０は、下部３１０ａ、３２０ａと、上部３１０ｂ、３２０ｂと、それぞれの装填エレメント３１０、３２０の上部と下部を結合する垂直エレメント３１０ｃとを備える。上部と下部のエレメント３１０ａ、３２０ａ、３１０ｂ、３２０ｂは、挿入される物品Ｇ1〜Ｇ4の厚さに従ってお互いに相対的に移動するように、お互いに対して移動可能とする（例えば、下部を固定し、上部を移動する）ことができ、これにより挿入される物品の厚さに適合する。装填フィンガー３１０、３２０は、搬送の前方端またはエレメント３１０、３２０の搬送方向に向かって狭くなるようにすることができる。
【００２９】
コンベヤ３０２と３１２は、挿入される物品Ｇ1〜Ｇ4に依存するが、包装材Ｅ1〜Ｅ3の横方向の寸法に依存せず、お互いからの距離で配置される。装填フィンガー３１０、３２０は、物品によって定まる距離で配置され、物品の包装材との衝突を回避するだけのために包装材内に挿入されるが、装填フィンガー３１０、３１２は、装填パスに沿った包装材Ｅ1、Ｅ2のいかなる搬送動作も実行しない。包装材の搬送は、包装材搬送機構１００によって提供されるだけである。それ故、実施形態によれば、装填エレメント３１０、３２０は、コンベヤ３０２、３１２によって、搬送機構１００によって包装材が移送される速度に等しいまたはそれより低い速度で、移送される。コンベヤ３０２と３１２は、挿入される物品の寸法に依存して装填エレメント３１０、３２０の間の距離を容易に調整するために、お互いに対して横方向に移動することができ、すなわち装填フィンガー３１０、３２０は、包装材のいかなるフォーマットにも無関係に調整され、それ故、包装材のありうるフォーマット公差に無関係であり影響されない。装填フィンガー３１０、３１２は装填される物品に対してセットされるが、包装材のフォーマットに対してではないので、装填された包装材Ｅ3は、装填フィンガー３１０、３２０から容易に除去することができる。
【００３０】
図１は、図２に関して更に詳細に記載される分離デバイスの分離爪４０２を更に示している。分離爪４０２は、フラップＦ1が取り付けられたサイドの反対側にある包装材Ｅ1のサイドの後縁に係合している。分離爪４０２は、包装材が挿入パスに沿って開いて保持される、すなわち、包装材の２つのサイドが分離され、例えば、包装材の上部サイドの中央部がサポートなしで垂下した状況において、物品と包装材の上部サイドとの間の衝突が回避されるように配置される。
【００３１】
図１に表された挿入装置の機能は、次の通りである。包装材Ｅ1は、包装材搬送機構１００によって包装材フィーダから受け取られ、装填パスに沿って第１の速度で搬送される。同時に、物品Ｇ1は、物品搬送機構２００によって、やはり装填パスに沿っているが、搬送機構１００が包装材Ｅ1を移送する速度より速い速度で移送される。また、装填エレメント３１０、３２０は、装填パス内に移送され、予め定められた距離だけ包装材内に載置される。装填フィンガー３１０、３２０の速度は、包装材搬送機構１００の搬送速度に等しいまたはそれより低い。包装材Ｅ1は装填パスを下流に移送されるので、物品Ｇ1の速度が包装材の速度より速いことにより、物品Ｇ1は挿入され、挿入物と包装材の衝突はガイドとして作用する装填フィンガー３１０、３２０によって回避され、その結果、包装材Ｅ2に対して図１に示されるように、最終的には物品が包装材内に装填される。装填パスの終端において、物品は包装材内に完全に装填され、すなわちその前縁が包装材の底部に到達する。装填パスの終端において、包装材は包装材搬送機構１００から解放され、まだ物品と係合している物品搬送機構２００によって、運搬されるまたは好ましくは方向Ｆに搬送される（包装材Ｅ3を参照）。物品搬送機構２００の速度は装填フィンガー３１０、３２０が移送される速度より速いので、装填された包装材Ｅ3は、装填フィンガー３１０、３２０から除去され、挿入装置の出力に向かって搬送される。
【００３２】
図１は、装填パスに沿って２つの包装材が同時に配置される挿入装置を表しているが、本発明はこのような実施形態に限定されないことに注意されたい。本発明の原理は、装填パスに沿って単一の包装材だけを処理する、あるいは２つを超える包装材を挿入パスに沿って提供することができる挿入装置に等しく適用することができる。
【００３３】
図２は、図１の挿入装置のライン２-２’に沿った断面図を示す。図２は、包装材搬送機構１００と物品搬送機構２００と分離デバイス４００の更なる詳細を示す。物品搬送機構２００は、装填パスの終端と装填パスの始まりからそれぞれ少し離れて配置される第１の駆動ローラー２０４と第２のローラー２０６を備える。ベルトまたはチェーン２０８は、ローラー２０４、２０６の周りに延伸し、複数のプッシャ２０２ａを担持する。プッシャエレメント２０２ｂを移送するため、類似した構造が挿入装置の長手方向中央に対して対称的に配置されるが、図２には示されていない。２つのベルトの駆動ローラーは、包装材搬送機構１００とコンベヤのドライブと独立して動作する同じドライブによって提供することができる。
【００３４】
包装材搬送機構１００は、吸引ベルト１０２がその周りに延伸する第１の駆動ローラー１１０と第２のローラー１１２を備える。包装材搬送機構１００は、吸引ベルトの切り口１０４に吸引圧を適用するために、それぞれの切り口１０４が減圧チャンバ１１４を越えて移送されるようにローラー１１０と１１２の間に部分的に延在する減圧チャンバ１１４を更に備える。減圧チャンバ１１４は、ローラー１１２から搬送方向Ｆに沿ってローラー１１０に向かって延在するが、減圧チャンバ１１４の終端とローラー１１０の間にギャップがあるので、このエリアにおいて包装材に吸引圧が印加されない、すなわち、このポイントにおいて包装材は包装材搬送機構１００から解放される。
【００３５】
図２は、第１の駆動ローラー４０４、第２のローラー４０６、並びにそれぞれの分離爪４０２がマウントされた、ローラー４０４、４０６の周りに延伸するベルトまたはチェーン４０８を備える分離デバイス４００を更に示す。
【００３６】
デバイスは、装填パスの始めに配置され、包装材搬送機構１００によって受け取られた包装材に向かってエアーをブローするために提供された一対のブローノズル５００を更に備え、これにより包装材を開口する。更に、装填パスの前面に延在するプレートまたは１つ以上のストライプで形成された表面材５０２が提供され、包装材は‐装填パスに供給されるとき‐表面材５０２の下を通過し、装填パスへ向かう途中の物品は表面材５０２の上を移動する。
【００３７】
引き続いて、図１と図２に記載されたような挿入装置の装填プロセスの間の図３Ａ〜Ｈに示される図３の表現に基づいて、装填プロセスが更に詳細に記載される。図３Ａにおいて、包装材Ｅ1が装填パスの下に配置することができる包装材フィーダから供給され、包装材搬送機構１００で受け取られる（図１と図２を参照）。包装材Ｅ1は送風機５００（図２を参照）によって開口され、物品Ｇ1の前縁がヒンジラインＨＬに載置され、装填プロセスがスタートする。装填フィンガー３１０、３２０はその前縁が包装材Ｅ1内にあるように移送され、分離爪４０２は包装材Ｅ1の上部サイドとの係合をもたらす。実施形態によれば、包装材のフラップの中央部が包装材搬送機構によって保持されるが、保持されないフラップの一部は起き上がり、挿入される物品との衝突が発生する可能性がある。これを回避するため、挿入装置は、フラップホルダ５０４、例えば金属ストライプ５０４ａ〜５０４ｄを更に備えることができる。２つのストライプ５０４ａ、５０４ｂが、包装材搬送機構１００に一方側に、すなわち包装材搬送機構１００と、装填補助機構３００の第１のコンベヤ３０２の間に提供される。２つのストライプ５０４ｃ、５０４ｄが、包装材搬送機構１００の他方側、すなわち包装材搬送機構１００と、装填補助機構３００の第２のコンベヤ３１２の間に提供される。金属ストライプ５０４ａ〜５０４ｄは、包装材搬送機構１００と装填補助機構３００のそれぞれのコンベヤ３０２、３１２の間の領域の下で包装材Ｅ1のフラップＦ1を保持し、その結果この部分において物品Ｇ1はフラップＦ1と衝突しない。更に、挿入装置は、装填された包装材を挿入装置の出力に向かって移送するための出力搬送機構５０６を備える。図３Ａにおいて、包装材Ｅ2はほとんど装填され、装填パスに沿って包装材Ｅ1の下流に位置する包装材Ｅ2とＥ3も示されている。包装材Ｅ3は完全に装填され、出力搬送機構５０６に転送されている。吸引ベルト（図３には示されない）はスイッチオンされ、すなわち、減圧が印加され、その結果、包装材Ｅ1は吸引ベルトによって保持され、吸引ベルトが移動するにつれて搬送される。物品搬送機構２００のプッシャ２０２ａ、２０２ｂは、次の装填プロセスのために、挿入装置の上流で照合トラックからすでに受け取られた物品Ｇ4を係合している。
【００３８】
図３Ｂにおいて、包装材Ｅ1は装填パスの下流に移動し、物品Ｇ1は包装材Ｅ1内へ装填され始めている。包装材Ｅ2は完全に装填されており、出力搬送機構５０６へ転送され、包装材Ｅ3はほとんど出力に達している。また、新たな包装材の装填パス内への搬送が開始している。
【００３９】
図３Ｃにおいて、包装材Ｅ3は挿入装置から除去されており、包装材Ｅ2はここで出力搬送機構５０６によって挿入装置の出力に向かって搬送されている。包装材Ｅ1の装填は進行中である、すなわち物品Ｇ1は包装材Ｅ1の底部Ｂに向かって移送されている。新たな包装材Ｅ4が装填パスの始めにおいて受け取られ、包装材搬送機構によって搬送される。物品Ｇ4は装填パスの始めにまだ到達しておらず、装填フィンガー３１０、３２０は装填パス内へ旋回を開始する。
【００４０】
図３Ｄ〜図３Ｇは、装填プロセスに対して、どのようにして開始位置が包装材Ｅ4、物品Ｇ4、および装填フィンガー３１０、３１２によって到達され、その結果、最終的に図３Ｈのような位置に到達されるかを図解説明する。図３Ｈに表された状況に続いて、図３Ａのような状況が到達される。同時に、包装材Ｅ1は完全に装填され、出力搬送機構５０６へ転送される準備が整い、その一方で包装材Ｅ2が挿入装置の出力に到達する。
【００４１】
このように、図３の装填プロセスにおいて、物品搬送機構は、照合トラックから物品を受け取る。包装材は、包装材フィーダのグリッパ搬送機構によって装填パスに向かって供給され、ブローエアーによって開口することができる。包装材は、グリッパ搬送機構を用いて下から搬送することができる。包装材は、装填パス内に移動するとき、ブローエアーによって開口され、フラップは、フラップ上に架けられているシートメタルストライプによって制御することができる。旋回する横方向の装填フィンガー３１０、３２０は、開口された包装材内に移送され、横方向の装填フィンガーが少なくとも部分的に包装材内に移送され、物品の前縁がヒンジラインに位置するとき、装填プロセスがスタートする。吸引ベルト搬送機構は、包装材とフラップを下げて保持し、包装材を装填パスを通して移送する。吸引ベルトは、回転する横方向の装填フィンガーと同じ速度またはそれより遅い速度を有し、包装材のフォーマットに依存して吸引エリアに対して調節可能なスイッチオン／スイッチオフ位置を有する。物品搬送機構は、吸引ベルト搬送機構の速度と比べて、物品搬送機構の異なる速度により、開口された包装材内に物品を移送する。一旦装填プロセスが完了すると、実施形態によれば、吸引ベルト搬送機構はスイッチオフされ、物品搬送機構と等しいまたはそれより速い速度を有する能動的な搬送は、装填された包装材を引き継ぎ、横方向の装填フィンガー３１０、３２０よりそれを引き出し、装填エリアからそれを移送する。
【００４２】
図１において、包装材搬送機構１００は単一の吸引ベルトを備える。しかしながら、本発明はこのような構成に限定されない。また、図１の挿入装置の部分平面図を示す図４に示されるように、複数の吸引ベルトを用いることができる。単一の吸引ベルトを提供する代わりに、３つの吸引ベルト１０２ａ、１０２ｂおよび１０２ｃが並んで提供され、搬送方向Ｆに沿って平行に延伸している。吸引ベルト１０２ａ〜１０２ｃは、上述された吸引ベルト１０２と同じ構造である。吸引ベルト１０２ａ、１０２ｂおよび１０２ｃは、物品搬送機構２００の第１のプッシャ２０２ａが第１の吸引ベルト１０２ａと第２の吸引ベルト１０２ｂの間に配置され、物品搬送機構２００の第２のプッシャ２０２ｂが第２の吸引ベルト１０２ｂと第３の吸引ベルト１０２ｃの間に配置されるように、それぞれの包装材の横方向において少し離れて配置される。２つの吸引ベルトまたは３つを超える吸引ベルトを用いることもできることに注意されたい。
【００４３】
更に、本発明は、吸引ベルトの使用に限定されず、むしろいかなるコンベヤも、好ましくは、例えば上方からまたは下方から包装材の外側と係合するコンベヤを用いることもできることに注意されたい。図５Ａは、第１のローラー６０１と第２のローラー６０２、並びにローラー６０１、６０２の周りに延伸するベルトまたはチェーン６０４を備えるグリッパコンベヤ６００の実施例を示す。チェーンは、包装材Ｅ1の前縁６０８と係合するためのグリッパエレメント６０６を備え、その結果、包装材はその前縁６０８で保持され、グリッパエレメント６０６がベルト６０４によって移送されるにつれて移送される。
図５Ｂは、グリッパコンベヤの平面図を示す。
【００４４】
図６に示されるように、図５で示されたような単一のグリッパコンベヤの代わりに、２つ以上のグリッパコンベヤ、例えばそれぞれのエレメント６０６ａと６０６ｂによって包装材Ｅ1の前縁６０８に沿って異なる位置で係合する２つのコンベヤ６０４ａと６０４ｂを提供することができる。複数の係合位置を提供することは、これが搬送方向に関して包装材Ｅ1の変位または回転を回避するので、有益である。
【００４５】
図７は、装填パスの両サイドに配置された２つのベルトまたはチェーン６０４ａと６０４ｂを備え、包装材がその間で搬送される可能なグリッパコンベヤのさらに他の実施形態を示す。図５と６の実施形態以外のグリッパエレメント６０６ａと６０６ｂは、前縁６０８と係合しないが、包装材Ｅ1の２つの対向する横方向エッジ６１０ａ、６１０ｂ、好ましくは前縁６０８の近くの位置と係合する。
【００４６】
これまで記載された実施形態において、包装材は、そのフラップが包装材コンベヤ上に位置するように、包装材コンベヤ上に載置された。しかしながら、発明アプローチの原理は、フラップを有しないサイドが包装材コンベヤによって移送されるように包装材が保持される挿入装置に対しても適用することができる。このような構成において、包装材搬送機構から独立して動作する横方向の装填フィンガーを用いることもできる。図８は、包装材が開口しているときにフラップが包装材搬送機構から離れて配置されるような包装材の位置決めを可能とする実施形態の概略表現を示す。図８において、図１と２に関して記載された吸引搬送で形成することができる包装材搬送機構１００が示されている。この実施形態によれば、包装材Ｅ1のフラップＦ1と係合するために、図１と２に関して記載されたのと同じ構造を基本的に有する分離デバイス４００が用いられ、包装材と同じ速度で移動可能であり、その結果、分離エレメント４０２は、装填プロセスの間、フラップＦ1の開口を維持する。図１と２以外に、物品搬送機構２００が異なる位置で異なる方向に載置され、より詳しくは、物品搬送機構が図１の位置決めと比べてさかさまに提供され、その結果プッシャ２０２ａはエレメント４０２によって開口を保持されたフラップＦ1と衝突しない。包装材の異なる位置、物品コンベヤの異なる配置および分離デバイスの異なる機能を除いて、図８の実施形態に示された挿入装置の機能は、図１、２および３に関して記載されたような挿入装置の機能と同じである。
【００４７】
好ましい実施形態が上述されてきたが、本発明の教示によれば、すべての記載されたエレメントが必要でないことに注意されたい。むしろ、実施形態によれば、可動カバーＥ1〜Ｅ3内に１つ以上の物品Ｇ1〜Ｇ4を挿入する装置は、カバー搬送機構１００と、少なくとも部分的にカバーＥ1〜Ｅ3内に移動し、カバーＥ1〜Ｅ3の移動の少なくとも一部の間、カバーＥ1〜Ｅ3の範囲中に維持されるように構成された少なくとも１つの装填補助機構３００を備える。
【００４８】
装填補助機構３００の更なる実施形態は、装填補助機構３００が本発明の他の実施形態に従って実現されていることを除いて図１の挿入装置に類似する挿入装置の概略平面図である図９を参照してここで記載される。図１に関してすでに記載されたこれらのエレメントは、同じ参照符号をそれに関連づけており、再び記載されない。装填補助機構３００は、それぞれの直線部分３４０ｃ、３４０ｄによって結合された２つのベント部分３４０ａ、３４０ｂを有するレール３４０を備えている第１のコンベヤ３０２を備える。直線部分３４０ｃ、３４０ｄは、互いに平行に配置される。直線部分３４０ｃは、包装材搬送機構１００に対向するコンベヤ３０２のサイドに配置され、直線部分３４０ｄは、包装材搬送機構１００から離れて対向するコンベヤ３０２のサイドに提供される。第１のベントまたは曲線部分３４０ａは、装填パスの始まりの前の位置、すなわち装填パスの始まりと比べて更なる上流に配置され、第２のベントまたは曲線部分３４０ｂは、装填パスの終わりの後の位置、すなわち装填パスの終わりと比べて搬送方向Ｆにおいて更なる下流に配置される。レール３４０に対して着脱自在にマウントされた複数の装填補助エレメントまたは装填フィンガー３１０’が提供される。装填フィンガー３１０’の各々は、レール３４０に沿って個々に移動可能である、例えば装填フィンガー３１０’は自走とすることができる。装填フィンガー３１０’は、図１〜３と同様に、少なくとも部分的に包装材内に移送される。装填フィンガー３１０’の各々は、個々に移送し制御することができる。コンベヤ３０２の左側部分において、多数の装填フィンガーが待機位置に示されている。新たな包装材が装填パスに向かって供給されるとすぐに、最も前方の装填フィンガーは、上述されたような挿入プロセスをサポートするため、本発明の原則に従って移送される。装填補助機構３００は、第１のコンベヤ３０２と同じ構造を有する第２のコンベヤ３０４を備える。コンベヤは、それぞれの直線部分３４２ｃ、３４２ｄによって結合される２つのベント部分３４２ａ、３４２ｂを有するレール３４２を備える。複数の装填補助エレメントまたは装填フィンガー３２０’が提供され、レール３０４に沿ってお互いに独立に移送することができる。
【００４９】
図９の実施形態は、それぞれの装填フィンガー３１０’、３２０’の個々の制御が可能であり、その結果、例えばそれぞれのフィンガー３１０’、３２０’を包装材Ｅ1の内側に押し入れる深さを容易に制御することができるので、有益である。より詳しくは、装填される包装材の各々に対して個々の制御が可能であり、例えば、挿入される物品に基づいて挿入深さを選択することができる。それ以外は、図９に表された装填補助機構の機能は、上述された装填補助機構の機能に対応する。包装材内の装填フィンガーの配置は、ここで、図９−１の図９Ａと図９Ｂを参照して記載され、薄い挿入（図９Ａを参照）と厚い挿入（図９Ｂを参照）に対する包装材内の装填フィンガーの配置を概略的に示している。
【００５０】
図９Ａは、図２または図９に示されたように、挿入装置の一部の概略図である。厚さｄ1を有する挿入物Ｇ1が、挿入装置に供給される。装填フィンガー３１０は、包装材Ｅ1のスロートが装填フィンガーの上部の傾斜した部分３１０ｂのほぼ中間（ヒンジラインＨＬの位置を参照）に配置されるように、包装材Ｅ1内に載置されている。これにより、包装材Ｅ1のスロートは、ｈ1だけ開口される（包装材Ｅ1の反対面がヒンジラインにおいて距離ｈ1だけ分離される）。この距離ｈ1は、包装材内への挿入物Ｇ1の安全で信頼性が高い挿入を可能にするのに十分である。包装材を完全に開口する（装填フィンガーを完全に包装材内に載置する）必要はない。
【００５１】
図９Ｂにおいて、挿入物Ｇ1は、図９Ａの厚さより大きい厚さｄ2を有する、すなわち挿入物はより厚い。この場合、装填フィンガー３１０は、包装材Ｅ1のスロートが装填フィンガーの上部の傾斜した部分３１０ｂのほぼ完全に上（ヒンジラインＨＬの位置を参照）に配置されるように、包装材Ｅ1内に載置されている。これにより、包装材Ｅ1のスロートは、図９Ａの距離ｈ1より大きいｈ2だけ開口される。この距離ｈ2は、包装材を完全に開口する（装填フィンガーを完全に包装材内に載置する）ことによって、包装材内への挿入物Ｇ1の信頼性が高く安全な挿入を可能にする。図９Ａと図９Ｂの比較から分かるように、これは、装填フィンガー３１０を挿入物／包装材の搬送方向に沿って異なる距離だけ移動することによって達成することができる。より詳しくは、図９Ａの場合には、装填フィンガー３１０は、搬送方向に沿って位置ｘ1に移送される。図９Ｂにおいて、装填フィンガー３１０は、搬送方向に沿って更に下って位置ｘ2に移送され、これにより包装材Ｅ1内のより深くに載置される。装填フィンガーをｘ1の上流または下流の位置に到達するように移送することによって、異なる開口距離を達成することができる。
【００５２】
図９−１の図９Ａと図９Ｂに関して述べたように、装填フィンガーの包装材内への位置決めは、図１と図９に記載された装填補助機構によって達成することができることに注意されたい。
【００５３】
以下において、装填プロセスの始めにおける装填補助フィンガーの機能が、図１の挿入装置の装填パスの前部の拡大図を示す図１０に基づいて記載される。図１０Ａは概略平面図であり、図１０Ｂはラインｂ―ｂ’に沿った断面図である。図１０は、装填または挿入プロセスの始めにおける状況を示す。包装材Ｅ1は、包装材搬送機構１００によってすでに係合されている。物品プッシャ２０２ａは、物品Ｇ1を移送する。装填フィンガー３１０、３２０は、途中でローラー３０６、３１６を通過しており、その結果、図１０Ａに示された位置において、装填フィンガー３１０、３２０の長手方向の延伸は、包装材搬送方向Ｆ（それに沿って包装材Ｅ1と物品Ｇ1が移送される）に対して実質的に垂直である。装填フィンガー３１０、３２０は、それぞれの接続部品３１０ｄ、３２０ｄによってベルトまたはチェーン３０８、３１８にマウントされている。実施形態によれば、装填フィンガーは、それぞれのベルト３０８、３１８に着脱自在にマウントすることができる。装填フィンガーの前縁あるいは終端は、包装材Ｅ1のヒンジラインＨＬにほぼ到達している。発明アプローチによれば、装填プロセスは、連続プロセスである、すなわち、包装材Ｅ1、物品Ｇ1および装填フィンガー３１０、３２０は連続的に移送されることに注意されたい。それぞれのフィンガーは移送されるので、それらはそれぞれのローラー３０６、３１６の周りのターンを完了し、物品Ｇ1に先立って包装材Ｅ1内に入り、その結果、物品Ｇ1はそれぞれの装填フィンガー３１０、３２０によってガイドされる。図１０Ｂに示されるように、装填フィンガー３１０は、ウォール部３１０ｃによって結合される上述した下部３１０ａと上部３１０ｂを備え、これにより物品Ｇ1を包装材Ｅ1内への進路に適応させるために、上部と下部３１０ａ、３１０ｂの間のスペースを定める。
【００５４】
図１１は、図１０における位置より下流の位置における装填プロセスを示す。再び、図１１Ａは、平面図であり、図１１Ｂは、図１１Ａにおけるラインｂ―ｂ’に沿った図面である。包装材搬送機構１００は第１の速度で包装材Ｅ1を移送し、物品搬送機構２００はプッシャ２０２ａを移送し、これにより物品Ｇ1は、包装材Ｅ1が移送される速度よりも速い速度で移送される。このように、包装材Ｅ1と物品Ｇ1の両方が挿入あるいは装填パスの下流に移動するので、物品は包装材を「追越」はじめる。包装材は、物品が包装材に挿入されるように開口されている。装填フィンガー３１０、３２０は、それらの前縁が包装材Ｅ1内に移送されるように配置され、物品Ｇ1は装填フィンガー３１０、３２０によって包装材内にガイドされ、これにより包装材Ｅ1との衝突を回避する。上述したように、装填フィンガー３１０、３２０は、包装材コンベヤ１００の速度と等しいまたはそれより遅い速度で、包装材搬送機構１００と独立して駆動され、装填フィンガー３１０、３２０は包装材Ｅ1のいかなる搬送も生じさせない。また、装填フィンガー３１０、３２０の横方向の距離は、挿入される物品Ｇ1の寸法だけによって定められ、包装材Ｅ1の横方向の寸法によって定められない。
【００５５】
図１２は、装填プロセスが完了している装填パスの更なる下流の状況を示す。再び、図１２Ａは平面図であり、図１２Ｂはラインｂ―ｂ’に沿った断面図である。図から分かるように、包装材Ｅ1は装填パスの終端に到達しており、物品Ｇ1は包装材Ｅ1内に完全に挿入されている、すなわち、包装材Ｅ1の前縁の包装材底部に到達している。更に、包装材搬送機構１００の吸引部１０４1は、ここで、減圧チャンバ１１４が延在していないエリアにあり、その結果、包装材搬送機構１００による包装材Ｅ1の搬送は終わる。装填された包装材Ｅ1の更なる搬送は、プッシャ２０２ａ、２０２ｂによってまだ物品Ｇ1と係合している物品搬送機構２００によって提供される。更に、物品搬送機構２００は、装填補助搬送３０２、３１２より速い速度で動作するので、装填された包装材Ｅ1は、装填フィンガー３１０、３２０から取り除かれる。
【００５６】
図１０、１１および１２に関する限り、これらの図は、図１に表された実施形態に基づいて記載されたが、図９の実施形態の装填補助機構を用いると同じ機能を達成することができることに注意されたい。
【００５７】
図１３は、装填補助機構のさらに他の実施形態を示す。図１と９において、装填補助機構は、装填パスの横方向サイドに配置されたが、本発明はこのような実施形態に限定されない。むしろ、図１３Ａに示されるように、装填補助機構は、装填パスの上に配置することができる。再び、装填補助機構３００は、装填パスの横方向サイドに、すなわち装填パスに沿って搬送される包装材Ｅ1、Ｅ2の両サイドに配置された２つのコンベヤ３０２、３０４を備える。図１３Ｂは、それぞれの装填フィンガー３１０がマウントされたチェーンまたはベルト３０８がその周りに延伸するローラー３０４、３０６を備える装填補助コンベヤ３０２の更なる詳細を示す。これまで記載された実施形態に反して、第１および第２のコンベヤ３０２、３０４は、包装材が搬送される平面またはレベルに平行である平面に配置されず、むしろ、コンベヤ３０２と３０４は、包装材が移動する平面に直角に配置される。より詳しくは、コンベヤ３０２は、装填フィンガー３１０を包装材搬送方向Ｆに移送するために、ベルト３０８が装填パスに隣接する下部サイドに延伸するように配置されるのに対して、上部は包装材が搬送される平面から離れている。なお、図１３Ａから分かるように、コンベヤ３０２、３０４は、他の搬送、例えば分離デバイス搬送および物品搬送機構との干渉を回避するために、装填パスの逆の横方向サイドに提供されている。図１３に示された実施形態による装填補助機構３００によって提供される機能は、上述されたような包装材内への装填フィンガーの横方向の挿入の代わりに、装填フィンガー３１０、３２０が上から包装材内に移送されることを除いて、図１〜３および９〜１２に関して上述された機能と同じである。
【００５８】
上述されたように、発明のアプローチによる装填フィンガーは、包装材の搬送を生じさせることなく、挿入される１つ以上の物品を包装材内にガイドするだけである。それ故、対向する装填フィンガーの距離を包装材に依存して設定する必要はなく、これによりこのような包装材の公差に関する上述の問題を回避する。むしろ、発明のアプローチによれば、装填フィンガーは、挿入される物品に依存して調整されるだけである。これは、図１４と１５に関して更に詳細に記載される。図１４は、第１の幅ｗ1を有する第１の包装材Ｅ1を示し、図１５は、第２の幅ｗ2を有する第２の包装材Ｅ2を示し、ここで第２の幅ｗ2は、第１の幅ｗ1より大きい。図１４と１５において、挿入される物品は同じであり、同じ寸法を有すると見なされる。図１４と１５の比較から分かるように、装填フィンガー３１０、３２０は、第１の包装材Ｅ1の幅ｗ1は２つのラインｌ1とｌ2の間の距離より小さいが、包装材Ｅ2の幅ｗ2はラインｌ1とｌ2の距離に相当するという事実に拘らず、同じ位置に維持される（図１４と１５のラインｌ1とｌ2を参照）。従って、装填フィンガー３１０、３２０の位置は、物品Ｇ1の寸法に依存するだけであって、包装材Ｅ1とＥ2の寸法に依存せず、これにより、包装材を搬送するためにも装填フィンガーを用いた従来のアプローチよる問題を回避する。例えば、図１５を考慮するとき、従来のアプローチにおいて、包装材Ｅ2の搬送を可能とするため、装填フィンガー３１０、３２０の間の距離を増やす必要が生じるが、物品Ｇ1はこのような状況において適切にはガイドされず、これにより装填エラーの確率を増加させる。加えて、包装材の公差に関する上述の問題が回避される。
【００５９】
以下において、分離デバイスの更なる実施形態が、図１６〜２２を参照して記載される。図１６は、包装材Ｅ1は包装材搬送機構１００によって既に搬送されているが、物品Ｇ1は包装材Ｅ1のヒンジラインＨＬにまだ到達していない装填プロセスの初期状況を示す。分離爪４０２は、分離デバイス搬送機構のローラー４０６の４分の３を通過している。爪４０２は、爪本体４０２ａと爪先４０２ｂを有する。爪先４０２ｂは、爪本体４０２ａから搬送方向Ｆに突出する。実施形態によれば、爪先４０２ｂは、包装材に入ると包装材の損傷を回避するためにフレキシブルとすることができる。図１７は、図１６と比べて、包装材Ｅ1、物品Ｇ1および爪４０２が搬送方向Ｆに更に移送されたことを示す。爪４０２はローラー４０６を完全に通過し、爪先４０２ｂは包装材Ｅ1の上部サイドの内部に係合する。また、物品Ｇ1は、爪先４０２ｂによってここで開口が保持されている包装材開口部に向かって更に移送されている。物品Ｇ1は、吸引ベルト１０２のエレベーション１０８を越えて移送されており、これにより、吸引ベルト１０２の吸引部１０４1に保持された包装材Ｅ1のフラップＦ1の上を安全に通過する。従って、物品Ｇ1は、フラップＦ1が配置される平面の上に持ち上げられ、その結果、物品Ｇ1はフラップと衝突することなく安全に通過することができる。
【００６０】
図１８において、包装材Ｅ1、物品Ｇ1および爪４０２は、装填パスに沿って更に移送されている。分離爪４０２は、好ましくは包装材と同じ速度で、包装材Ｅ1とともに移送され、これにより、包装材Ｅ1の搬送の間、下部サイドより分離された包装材Ｅ1の上部サイドを維持する。図１８において、物品Ｇ1の前縁が包装材Ｅ1のスロートの開口部に到達し、部分的に挿入されていることが示されている。
【００６１】
図１９は、装填プロセスがほぼ完了していること、すなわち、物品Ｇ1が包装材Ｅ1の底部または前縁に到達したことを示す。上述のように、物品搬送機構２００は、包装材Ｅ1と、また分離デバイスの爪４０２が移送される速度より速い速度で、物品Ｇ1を移送し、その結果、結局、図１９に示されるように、プッシャ２０２ａが爪４０２を追い越す。また、吸引ベルト１０２は、より詳しくは、吸引エリア１０４1は、減圧チャンバ１１４の終端にほとんど到達している。
【００６２】
図２０は、装填プロセスが完了し、装填された包装材Ｅ1の搬送送が物品搬送機構２００によって引き継がれたこと、より詳しくは、装填された包装材Ｅ1が、物品Ｇ1とまだ係合している物品搬送機構２００のプッシャ２０２ａによって装填パスから押し出されていることを示す。包装材は、吸引ベルトによって、減圧チャンバを越えた位置に搬送されており、その結果、搬送機構１００による包装材Ｅ1の搬送は終わり、包装材は、物品搬送機構２００の速度より速い速度で出力に向かって移送される。同時に、分離デバイスが搬送機構１００の速度と同じまたはそれより遅い測度で動作するので、包装材は、分離デバイスの爪４０２から取り除かれる。
【００６３】
これまで、分離デバイスは分離爪を備えると記載されていたが、本発明はこのような実施形態に限定されない。例えば、図２１に示されるように、爪の代わりに、吸引圧によって開口位置に維持されるように包装材Ｅの外側表面に作用する吸引エレメント４０２’を提供することができる。
【００６４】
更なる実施形態によれば、分離エレメント４０２、例えば爪は、ローラー４０６の周りを移動すると、分離エレメントの先端が、包装材が搬送されるレベルまたはその下の位置に到達するように構成することができ、その結果、包装材の下部サイドが下方に押され、包装材の上部サイドと下部サイドのお互いからのより確実な分離を求めることができる。図２２はこのような実施形態を概略的に表す。図から分かるように、分離エレメント４０２の先端４０２ｂは、本体４０２ａからの距離によって延伸するように構築され、その結果、ローラー４０６について回転すると、先端４０２ｂは、包装材Ｅの搬送レベルにあるかまたはそれより下にあり（図２２Ａを参照）、これにより、包装材をより容易に開口するために包装材を下方に押す。一旦分離エレメント４０２がローラー４０６の転回を完了すると、その先端４０２ｂは、再び包装材Ｅのレベルより上に持ち上がり、その結果、包装材の下部サイドと包装材の上部サイドはお互いから分離される（図２２Ｂを参照）。
【００６５】
図２２に示されたような方法で分離エレメント４０２を構築する代わりに、包装材Ｅ内に入る前に、図２２Ａに示されたように包装材搬送レベルの下の第１の位置に移送され、包装材内に挿入された後に、包装材が搬送される平面の上の第２の位置に後退させるような方法で、搬送機構４０８にマウントされた分離エレメント４０２を提供することも可能である。例えば、このような機能を可能にするために、適切な手段、例えばエレメントを２つの位置の間で垂直に移動させるアクチュエータを提供することができる。また、それぞれのガイドエレメントを、始めにエレメントが第１の位置に「急降下」し、次に第２の位置に戻るように、移送の一部に沿って配置することができる。
【００６６】
以下において、フラップホルダの実施形態が、図２３〜２９を参照して記載される。挿入装置が、上述のエレメントに加えて、包装材の移送の少なくとも一部の間、包装材フラップをカバーし、包装材フラップと包装材内に挿入される１つ以上の移動する物品をお互いから分離して維持するように構成されたフラップホルダを更に備える実施形態が記載される。図２３は、図１に示されたような挿入装置の平面図を示す。フラップホルダ７００が加えて提供されるが、他のエレメントは図１に関して記載されたエレメントに対応する。フラップホルダ７００は、４つの平行のフラップホルダエレメント７０２ａ〜７０２ｄを備える。フラップホルダエレメント７０２ａ〜７０２ｄは、シートメタルバネまたはバネ板で形成され、搬送方向Ｆに沿って延伸することができる。フラップホルダ７００は、装填パスの始めに配置され、その結果、装填パス内に移送される包装材、例えば包装材Ｅ1はフラップホルダの下に配置される。包装材は装填パス内に挿入されるので、フラップホルダは、最初は、包装材本体をカバーし、包装材の更なる移送の間、包装材フラップをカバーする。挿入される１つ以上の物品は、フラップホルダ７００の上に配置され、その結果、フラップホルダ７００は、装填パスの始めの転送領域において、包装材と１つ以上の物品の間に配置される。
【００６７】
フラップホルダエレメントは、包装材搬送機構１００の両サイドに配置され、より詳しくは、フラップホルダエレメント７０２ａと７０２ｂは、包装材搬送機構１００と第１の装填補助コンベヤ３０２の間の部分に配置される。更に、フラップホルダエレメント７０２ａと７０２ｂは、物品搬送機構２００のプッシャ２０２ａが包装材搬送機構１００と内側のフラップホルダエレメント７０２ｂの間の位置にあるように、構成される。フラップホルダエレメント７０２ｃと７０２ｄは、包装材搬送機構１００の他方サイド上に類似した方法で配置される、すなわち、第２の装填補助コンベヤ３１２と包装材搬送機構１００の間に配置され、物品搬送機構のプッシャ２０２ｂは、内側のフラップホルダエレメント７０２ｃと包装材搬送機構１００の間に配置される。
【００６８】
フラップホルダ７００の機能は、装填パスに入ると、包装材と物品がお互いから分離されるようにすることである。実施形態によれば、包装材は、包装材搬送機構１００によって搬送方向Ｆに沿って搬送され、包装材のフラップは、例えば印加される吸引圧によって搬送ベルト上に保持される。従って、包装材フラップの中央部は搬送機構上に保持され、その結果、物品は、この部分において、いかなる衝突もなしにフラップを通過することができる。しかしながら、包装材搬送機構１００と装填補助コンベヤ３０２、３１２間の部分において、装填補助機構を挿入する前に、フラップは保持されず、その結果、フラップは、搬送レベルから起き上がる可能性があり、挿入される物品との衝突が発生する可能性がある。代わりにまたは加えて、物品の前縁の角が垂下し、結果として衝突になる可能性もある。それ故、装填プロセスの開始時において、フラップホルダ７００は、フラップが保持されないそれらの領域にフラップをカバーするために提供され、その結果、物品がフラップを通過する転送エリアにおいて、フラップと物品の分離が確実になされ、これにより信頼できる装填プロセスを可能にする。
【００６９】
本発明は、包装材搬送機構として、吸引ベルトの使用に限定されないことに注意されたい。フラップの保持を提供しない他の種類の搬送が用いられる場合、フラップホルダエレメント７０２ｂと７０２ｃの間に、付加的なフラップホルダエレメントを提供することができる。
【００７０】
図２３において、４つまたは５つのフラップホルダエレメントを備える実施形態が記載されている。発明のアプローチは、このような実施形態に限定されず、むしろ４つまたは５つを超えるフラップホルダエレメントまたは４つ未満のフラップホルダエレメントを用いることができることに注意されたい。図２４Ａは、６つのフラップホルダエレメント７０２ａ〜７０２ｆが提供される実施形態を示す。フラップホルダエレメントは、図２３と類似した方法で配置されるが、加えて、図２３における外側のフラップホルダ７０２ａと第１の装填補助コンベヤ３０２の間に、第１の付加的なフラップホルダエレメント７０２ｅが配置される。図２３において、包装材Ｅの中心線Ｃの他方サイド上の外側フラップホルダエレメント７０２ｄと、第２の装填補助コンベヤ３１２の間に、更なる第２のフラップホルダエレメント７０２ｆが配置される。
【００７１】
図２４Ｂは、２つのフラップホルダエレメント７０２ｂと７０２ｃのみを備え、フラップホルダエレメント７０２ａと７０２ｄが省略されている他の実施形態を示す。
【００７２】
フラップホルダエレメントの数は、挿入装置によって処理される物品と包装材のフォーマットおよび／または物品／挿入物の特性に依存して選択することができる。例えば、同じフォーマットであるが、異なる剛性を有する物品／包装材は、より多くのまたはより少ないフラップホルダエレメントの使用を必要とする可能性がある。例えば、物品／包装材の材質がより硬ければ、より少ない曲げが予想され、より少ないフラップホルダエレメントが必要とされる。
【００７３】
図２５は、静止フラップホルダエレメントを用いた実施形態を示す。図２５は、フラップホルダを用いながら包装材フラップを移動するまたは通過する１つ以上の物品の異なるステージを示す。図２５Ａにおいて、包装材Ｅ1が包装材搬送機構に供給されている初期状況が示される。プレートまたは１つ以上のストライプにより形成することができ、装填パスの始めに向かって位置Ｘまで延伸する表面材５０２（前縁５０２ａを参照）が、図２５Ａにおいて示されている。装填パスへ向かう途中の物品は、表面材５０２の上を移動し、包装材は、下から装填パスに供給され、表面材５０２の前縁５０２ａを通過する。フラップホルダエレメント７０２ａは、位置Ｘを越えて搬送方向Ｆに延伸する前縁７０４を有する。包装材Ｅ1は挿入パス内に移送されるので、前縁７０４は包装材本体７０６に接触する。包装材Ｅ1内に挿入される物品Ｇ1は到着し、物品Ｇ1の前縁７０８はフラップホルダエレメント７０２ａの後縁７１０上に配置される。従って、図２５Ａにおいて、フラップＦ1のエッジは既に位置Ｘに到達しているが、物品はこの位置にまだ到達していない。物品と包装材は連続的に移送されるので、この状況は、図２５Ｂに示されるように、フラップのエッジと物品の前縁の間のギャップｇの生成に結果としてなる。このギャップは、フラップが短いほど、より発生しそうである。物品とフラップ間の衝突を回避するため、ギャップにまたがるように配置されたフラップホルダが提供され、これにより分離した物品と包装材を維持する。図２５Ｂにおいて、包装材Ｅ1と物品Ｇ1は更に移送され、例えば、エアーノズル５００によって包装材Ｅ1は開口され、その結果、包装材の上部サイド７１２が、フラップＦ1が取り付けられた包装材の下部サイド７１４から分離される。フラップホルダエレメント７０２ａは、包装材Ｅ1の方向に付勢されたシートメタルバネまたはバネが装着されたプラスチックエレメントより形成することができるが、フラップホルダエレメント７０２ａは、包装材のスロート７１６を開口するとフラップホルダエレメント７０２ａの前縁７０４も持ち上がる、すなわちフラップホルダエレメント７０２ａが包装材Ｅ1の開口を可能とするように寸法取りされる。図２５Ｃにおいて、包装材Ｅ1と物品Ｇ1は搬送方向Ｆの更に下流に移送され、その結果、更なる移送により、静止状態または固定されたフラップホルダエレメント７０２ａの前縁７０４は、もはや包装材本体の上部サイド７１２と接触せず、フラップＦ1のみと接触している。フラップホルダエレメント７０２ａの弾力的な性質により、それは、上部サイド７１２を離れた後、フラップＦ1上の下方にそれる。物品Ｇ1は、既に包装材のスロート７１６に到達し、フラップホルダエレメント７０２ａは、フラップＦ1と物品Ｇ1の間に配置され、これにより、図２５に表された転送領域において、物品Ｇ1とフラップＦ1のいかなる衝突もなしに、フラップＦ1を越えた物品Ｇ1の安全な転送を可能にする。
【００７４】
図２６は、移動可能に提供することができるフラップホルダの他の実施形態を記載する。さらに具体的には、フラップホルダは、移送の間、包装材フラップがフラップホルダによって接触され、フラップホルダがフラップと物品を分離することを確実にするために、物品と包装材とともに、少なくとも部分的に搬送方向Ｆに沿って移送することができる。図２６Ａは、包装材Ｅ1が装填パスにおいて受け取られ、物品Ｇ1が装填パスに到着している図２５Ａに類似した初期状況を示す。フラップホルダエレメント７０２ａは、矢印７１８で示されるように、搬送方向Ｆに沿って移動可能である。図２６Ａにおいて、前縁７０４が、装填パス内に挿入された包装材Ｅ1のＦ1と接触しているフラップホルダエレメント７０２ａの第１の位置が示されている。装填パスに到着する物品Ｇ1は、物品Ｇ1とフラップＦ1の間に配置されたフラップホルダエレメント７０２ａと接触している。図２６Ｂにおいて、包装材Ｅ1と物品Ｇ1は、装填パスの下流に更に移送されている。また、移動可能であるフラップホルダエレメント７０２ａは、装填方向において更に下流に移送され、その結果、図２６Ａに示された位置と図２６Ｂに示された位置からの移送の間、前縁７０４とフラップＦ1の接触が維持される。物品Ｇ1の前縁は、物品Ｇ1をフラップＦ1より分離するフラップホルダエレメントの前縁７０４に到達している。図２６Ｂにおいて、物品Ｇ1の前縁は、フラップＦ1の後縁を既に通過しており、その結果、物品Ｇ1は、ここでいかなる衝突もなしにフラップＦ1を通過することができ、適切な手段によって、例えばノズルによって提供されるブローエアーによって開口された包装材Ｅ1内に、安全かつ確実に挿入することができる。図２６Ｃにおいて、物品Ｇ1と包装材Ｅ1は、搬送方向Ｆに沿って更に移送されている。物品Ｇ1の前縁は、既に安全にフラップＦ1の後縁を通過しているので、フラップホルダエレメント７０２ａは、矢印７２０によって概略的に示されるように、図２６Ｂに示された第２の位置から図２６Ａに示された第１の位置に向かって後退している。
【００７５】
これまでは、ストライプ形のフラップホルダが記載されていた。本発明は、このような実施形態に限定されず、むしろ、フラップホルダはいかなる適切な形状をも有することができる。図２７は、本発明の他の実施形態によるフラップホルダを示す。矩形または楕円形状を有し、図２７Ａに示された第１の位置と図２７Ｂに表示された第２の位置の間で回転することができる、フラップホルダエレメント７０２ｇと７０２ｈが提供される。第１の位置において、プレート７０２ｇ、７０２ｈの短軸は実質的に搬送方向に沿って延伸し、プレート７０２ｇ、７０２ｈの長軸は実質的に搬送方向に対して垂直に延伸する。この位置において、包装材のフラップＦはカバーされない、すなわち、物品と包装材エッジの間にギャップがある。プレート７０２ｇ、７０２ｈを図２７Ｂに示された位置に回転させると、プレート７０２ｇ、７０２ｈの短軸は実質的に搬送方向に対して垂直に延伸し、プレート７０２ｇ、７０２ｈの長軸は実質的に搬送方向に沿って延伸し、その結果、プレート７０２ｇ、７０２ｈの前縁はフラップをカバーする。
【００７６】
これまでに表された実施形態において、包装材および／または包装材フラップを越えて同じ距離だけ延伸するフラップホルダエレメントが記載されていた。しかしながら、本発明はこのような実施形態に限定されず、むしろ、他と同様に、包装材開口部の特性に依存して、いくつかのフラップホルダエレメントを、更に包装材上に延伸することができる。このような実施形態は、ここで図２８に関して記載されている。図２８の実施形態におけるフラップホルダは、フラップホルダエレメント７０２ａ、７０２ｂおよび７０２ｅのみが示された６つのフラップホルダエレメント（例えば図２４Ａを参照）を備える。包装材Ｅ1は、包装材Ｅ1の中央においてより深く、包装材の外側エッジに向かって減少する開口部７１６を有する。フラップホルダエレメント７０２ａ、７０２ｂおよび７０２ｅは、フラップホルダエレメントのそれぞれの前縁が搬送方向Ｆに沿って異なる終端位置に配置され、例えば、開口部７１６が大きいほど、フラップホルダエレメントが包装材Ｅ1上に更に延伸するように、提供される。
【００７７】
異なる種類の包装材の取り扱いを可能とするため、フラップホルダエレメントは、図２８に示されたそれぞれの矢印によって示されるように、調節可能に構成することができる。例えば、静止したフラップホルダの場合には、好ましくは挿入ジョブの開始に先立って、包装材の特性に依存して、例えば図２８に示された方法で、フラップホルダエレメントの前縁の調整を可能とするそれぞれのフラップホルダエレメントを、ドライブとともにまたはそれに接続されて提供することができる。図２６に関して記載されたような移動可能なフラップホルダエレメントの場合には、第１の位置と第２の位置の間でフラップホルダエレメントを移送するために提供されるドライブまたはモータは、第２の位置において１つのフラップホルダエレメントが他のフラップホルダエレメントより搬送方向Ｆの更に下流に位置するように制御することができる。
【００７８】
図２９に示される本発明の他の実施形態によれば、フラップホルダは、装填補助機構の装填フィンガーのように、装填パスに沿って包装材とともに移動することができるフラップホルダエレメント７０２ｂ、７０２ｃを備えることができる。フラップホルダエレメント７０２ｂ、７０２ｃがマウントされた２つのベルト７３２ａ、７３２ｂを備える循環コンベヤ７３０が提供され、その結果、装填プロセスを完了し、装填パスから包装材を取り除いた後、フラップホルダエレメント７０２ｂ、７０２ｃは開始位置に戻ることができる。好ましくは、装填パスに沿って１つ以上の包装材を取り扱うことを可能にするために、循環コンベヤに沿って、複数のフラップホルダエレメントが提供される。
【００７９】
更に、フラップホルダエレメントは、横方向に（搬送方向Ｆに対して横方向）同じインターバルで間隔をあけるように示されているが、例えば物品および／または包装材の特性に依存して、インターバルが異なルようにすることができることに注意されたい。
【００８０】
以下において、本発明の更なる実施形態が記載される。より詳しくは、これまで記載された実施形態において、装填された包装材は物品搬送機構のプッシャによって搬送されたが、本発明はこのような実施形態に限定されない。例えば、挿入される物品が少数のエレメント、例えば１つまたは２つのシートのみを備えるとき、または、物品が硬くないまたは剛体でないとき、物品搬送機構によって包装材の信頼性の高い搬送を可能とすることができないまたは難しい可能性がある（例えば、低減された速度を必要とし、それによりスループットを低減する）。物品は、プッシャによって変形するまたは損傷を受ける可能性がある。更に、装填された包装材は位置がずれる可能性があるので（これは、包装材内に十分に硬いまたは剛性の物品を装填するときにも起こる可能性がある）、装填された包装材の搬送を引き継ぐ物品搬送機構による包装材の搬送速度の変化は、クリチカルである可能性がある。このような問題を回避するため、本発明の実施形態は、装填された包装材の搬送を生じさせる更なる包装材搬送機構を備える。
【００８１】
図３０は、このような付加的な包装材搬送機構を備える実施形態を示し、図３０Ａは概略平面図であり、図３０Ｂはラインｂ―ｂ’に沿った断面図である。図３０において、図１と２に示された挿入装置に類似する挿入装置が示される。図１と２に関して既に記載された挿入装置のエレメントは、図１と２と同じ引用符号を関連付けており、再び記載されない。物品を挿入するとともに包装材を搬送するために用いられる包装材搬送機構１００に加えて、付加的な包装材搬送機構８００が提供される。付加的な包装材搬送機構８００は、搬送機構１００と並列に、部分的にオーバーラップして配置される。付加的な包装材搬送機構８００は、搬送機構１００と、装填補助機構３００の第１のコンベヤ３０２の間に配置される。付加的な包装材搬送機構８００は、第１の部分８０４1と８０４2を有する吸引ベルト８０２を備え、吸引ベルト８０２は、吸引ベルト８０２の下に提供される減圧機構によって、吸引ベルト上に配置された物体（例えば装填された包装材）に対して吸引力を印加することができるように開口部を備える。更に、吸引ベルト８０２は、ホールが提供されない第１の部分８０４1と８０４2の間に、第２の部分８０６1、８０６2、８０６3を備え、その結果、吸引ベルトのこの部分において、その上に配置された物体に対して吸引力が印加されない。更に、図３０Ａにおいて、付加的な包装材搬送機構８００の部分８０７ａはハッチングされており、部分８０７ｂはハッチングされていない。搬送機構８００の部分８０７ａにおいて、ベルト８０２に向かって減圧力は印加されず、搬送機構８００の部分８０７ｂにおいて、ベルト８０２に向かって減圧力が印加される。従って、ベルト８０２の第１の部分８０４1と８０４2が部分８０７ｂを通過するとき、ベルト８０２上の包装材に吸引圧が印加され、その結果、包装材は付加的な包装材搬送機構８００によって搬送される。
【００８２】
図３０Ｂから分かるように、付加的な包装材搬送機構９００は、吸引ベルト８０２が周りに延伸する第１の駆動ローラー９１０と第２のローラー８１２を備える。包装材搬送機構８００は、吸引ベルトの切り口８０４に吸引力を印加するために、それぞれの切り口８０４が減圧チャンバ８１４を越えて移送されるように、搬送機構８００の部分８０７ｂに配置され、ローラー８１０と８１２の間に部分的に延在する減圧チャンバ８１４を更に備える。減圧チャンバ８１４は、ローラー８１２から搬送方向Ｆに沿ってローラー８１０に向かって延在するが、搬送機構１００と８００の減圧チャンバ１１４と８１４はオーバーラップしない。
【００８３】
一旦包装材が装填されると、包装材はもはや搬送機構１００によって搬送されない。この時、装填された包装材は、付加的な搬送機構８００によって、物品搬送機構の速度に等しいまたはそれより速い速度で搬送される位置に到達している。従って、装填された包装材は、付加的な搬送機構８００によって搬送され、これにより、装填された包装材を物品搬送機構のプッシャによって搬送するときの上述の問題を回避する。装填パスに沿った付加的な包装材搬送機構８００と包装材搬送機構１００によって、装填された包装材を出力搬送機構または挿入装置出力に確実に搬送するために、包装材に対して連続的な搬送またはコンベアが提供される。包装材の搬送速度の変化は、装填された包装材を付加的な包装材搬送機構８００によって搬送することによって起こる、すなわち包装材は‐更なる搬送の間‐付加的な包装材搬送機構８００の搬送エレメントによって保持されるので、問題ではない。これは、包装材等の不必要な移送を回避し、従って装填された包装材の挿入装置出力に向かっての信頼性の高い搬送を可能にする。
【００８４】
実施形態によれば、挿入装置は、包装材内に装填される物品に依存して、物品搬送機構２００によってまたは付加的な包装材搬送機構８００によって、装填された包装材の搬送を引き起こすことができるように制御することができることに注意されたい。例えば、薄い物品が包装材内に装填されることが決定したとき、付加的な包装材搬送機構８００を起動することができる。十分に剛性のある挿入物の場合には、装填された包装材が物品搬送機構２００によって搬送されるように、付加的な包装材搬送機構８００は停止することができる。
【００８５】
付加的な包装材搬送機構８００は、装填された包装材を、搬送機構１００より速く、装填補助機構３００の速度より速い速度で搬送することができ、その結果、装填された包装材は、装填フィンガーから除去される（包装材Ｅ3を参照）。
【００８６】
図３０の実施形態において、付加的な包装材搬送機構８００は、例えば図３Ａに示されるように、装填された包装材を挿入装置の出力に向かって移送するための出力搬送機構５０６に、装填された包装材を搬送するために提供される。あるいは、付加的な包装材搬送機構８００は、搬送方向において、挿入装置の出力（ここで、装填された包装材は、計量デバイス、選別機その他のような次のステーションに転送される）に更に延伸することができる。この場合、付加的な包装材搬送機構８００は、挿入装置の出力搬送機構５０６をも形成する。
【００８７】
図３１は、付加的な包装材搬送機構８００の他の実施形態を示す。この実施形態において、付加的な包装材搬送機構８００は、搬送機構１００と、装填補助機構３００の第２のコンベヤ３１２の間に配置される。それ以外は、図３１の実施形態は図３０のそれに対応する。
【００８８】
図３２は、付加的な包装材搬送機構８００のさらに他の実施形態を示す。この実施形態において、付加的な包装材搬送機構８００は、搬送機構１００と、装填補助機構３００の第１のコンベヤ３１２の間に配置される第１の吸引ベルト８０２ａと、搬送機構１００と、装填補助機構３００の第２のコンベヤ３１２の間に配置される第２の吸引ベルト８０２ｂとを備える。ベルト８０２ａは図３０のそれに対応し、ベルト８０２ｂは図３１のそれに対応する。２つのベルトを用いることは、装填された包装材の回転運動を回避し、搬送の間、その方位を維持するために好ましい場合がある。
【００８９】
吸引ベルトを備える上述の吸引搬送機構の代わりに、付加的な包装材搬送機構を実現する他の搬送機構、例えばベルト搬送または１つ以上の吸引ローラーも可能である。
【００９０】
以下において、装填補助機構の更なる実施形態が記載される。より詳しくは、これまで記載された実施形態において、装填補助機構は、装填フィンガーを少なくとも部分的に装填パスに沿って包装材とともに移送するためのコンベヤを備える。しかしながら、本発明はこのような実施形態に限定されない。物品が包装材のヒンジラインを通過するまで存在するように、装填フィンガーを提供することで十分である。図３３は、装填フィンガーを実現する代替の実施形態の概略表現を示す。図から分かるように、コンベヤは提供されず、むしろ、装填フィンガー３１０、３２０が、矢印によって示された方向に沿って移動可能（前後）に配置される。包装材Ｅ1が装填パスに供給されるとき、装填フィンガー３１０、３２０は、装填パスの入口の上流とすることができる休止または待機位置にある。一旦包装材が装填パスに供給されると、装填フィンガー３１０、３２０は、少なくとも部分的に包装材内に移送される搬送方向に移送される。一旦物品Ｇ1が包装材Ｅ1のヒンジラインを通過すると、装填フィンガー３１０、３２０は、新たな包装材が供給されるまで、それらの待機位置に戻すことができる。図３３から分かるように、更なる装填プロセスの間、装填フィンガーは包装材Ｅ2内にない。装填フィンガー３１０、３２０の待機位置は、上述した位置と異なることができる。例えば、待機位置は、装填パスのサイドとすることができ、装填フィンガー３１０、３２０は、待機位置から装填パス内へ、また包装材内へ、また待機位置に戻って移送されるように回転可能に配置することができる。あるいは、装填フィンガー３１０、３２０の待機位置は、装填パスの上または下とすることができる。
【００９１】
更に、一度に１つの包装材だけを取り扱うことを許容する、すなわち装填パスに沿って１つの包装材だけが配置される実施形態を提供することができることに注意されたい。このような実施形態において、包装材搬送機構は、装填パスを通して出力搬送機構または挿入装置出力までずっと延伸することができ、その結果、装填されないおよび装填された包装材は、同じ搬送機構によって搬送される。物品搬送機構は、包装材が装填されるまで、包装材搬送機構より速い速度で作動する。装填が完了した後、物品搬送機構は、物品を物品搬送機構からリリースするために減速することができる（あるいは、包装材搬送機構を加速することができる）。
【００９２】
これまで記載された実施形態において、物品が開口された包装材に装填されるように、物品は包装材より速く搬送される。本発明は、このような実施形態に限定されない。他の実施形態によれば、物品が包装材内に装填されるように、包装材を物品より速く搬送することができる。例えば、図１と２に示されたような挿入装置を考えるとき、搬送エレメントは、包装材と物品の右から左への搬送（すなわち、搬送方向Ｆが図２に示されたものと反対である）を可能にするように修正される。包装材は開口され、「遅い」物品を追い越し始めるとき、包装材が物品の上に移送される（すなわち、物品が包装材内に受け取られる）。
【００９３】
上述された実施形態から分かるように、発明のアプローチによれば、１つ以上の物品を移動可能な包装材内に挿入する装置が記載されている。しかしながら、実施形態はフラップを備える物品と包装材に基づいて記載されているが、本発明はこのような実施形態に限定されないことに注意されたい。むしろ、発明のアプローチは、１つ以上の物品をその中に受け取るために提供されるいかなる種類のカバーにも適用可能である。カバーと物品は、挿入プロセスの間、両方とも移送され、装填補助機構が上述のような方法で提供される。実施形態によれば、カバーコンベヤは、物品コンベヤの反対側に配置され、少なくとも２つの位置でまたはカバーの位置に沿ってカバーを係合する。例えば吸引ベルトにおける多数の開口部の代わりに、ベルトの長手方向に延伸する１つ以上のスリットを提供することができる。少なくとも２つの位置は、カバー搬送方向に沿ってまたはカバー移送方向に対して横方向に連続的に配置することができる。引き伸ばされた位置は、搬送方向に沿ってまたはそれに対して横方向とすることもできる。更に、実施形態によれば、異なるコンベヤ／搬送のそれぞれのドライブは、お互いに独立しており、その結果、ドライブの各々は個々の駆動と速度曲線を用いて駆動することができる。吸引ベルトとグリッパ搬送機構の代わりに、プッシャまたはスライダーを用いたコンベヤを用いることもできる。物品搬送機構は、カバー搬送機構の速度と等しいまたはそれ以下の速度で作動することが上述されているが、装填補助コンベヤは、搬送機構の速度から独立した速度で作動することができることに注意されたい。
【００９４】
いくつかの態様が装置の文脈において記載されてきたが、これらの態様は、対応する方法の記述をも表していることは明らかであり、ブロックまたはデバイスは方法ステップまたは方法ステップの特徴に対応する。同様に、方法ステップの文脈において記載される態様は、対応する装置の対応するブロックまたは項目または特徴の記述をも表している。
【００９５】
上述した実施形態は、単に本発明の原理に対して例証を示したものである。本願明細書に記載された構成および詳細の修正および変更は、他の当業者にとって明らかであると理解される。それ故に、本発明の範囲は、特許クレームのスコープのみによって制限され、本願明細書の実施形態の記述および説明の方法によって示された具体的な詳細によって制限されないことが意図される。
【図１】
2013531583.tif 000003
【図２】
2013531583.tif 000004
【図３Ａ】
2013531583.tif 000005
【図３Ｂ】
2013531583.tif 000006
【図３Ｃ】
2013531583.tif 000007
【図３Ｄ】
2013531583.tif 000008
【図３Ｅ】
2013531583.tif 000009
【図３Ｆ】
2013531583.tif 000010
【図３Ｇ】
2013531583.tif 000011
【図３Ｈ】
2013531583.tif 000012
【図４】
2013531583.tif 000013
【図５】
2013531583.tif 000014
【図６】
2013531583.tif 000015
【図７】
2013531583.tif 000016
【図８】
2013531583.tif 000017
【図９】
2013531583.tif 000018
【図９−１】
2013531583.tif 000019
【図１０】
2013531583.tif 000020
【図１１Ａ】
2013531583.tif 000021
【図１１Ｂ】
2013531583.tif 000022
【図１２】
2013531583.tif 000023
【図１３Ａ】
2013531583.tif 000024
【図１３Ｂ】
2013531583.tif 000025
【図１４】
2013531583.tif 000026
【図１５】
2013531583.tif 000027
【図１６】
2013531583.tif 000028
【図１７】
2013531583.tif 000029
【図１８】
2013531583.tif 000030
【図１９】
2013531583.tif 000031
【図２０】
2013531583.tif 000032
【図２１】
2013531583.tif 000033
【図２２】
2013531583.tif 000034
【図２３】
2013531583.tif 000035
【図２４】
2013531583.tif 000036
【図２５】
2013531583.tif 000037
【図２６】
2013531583.tif 000038
【図２７】
2013531583.tif 000039
【図２８】
2013531583.tif 000040
【図２９】
2013531583.tif 000041
【図３０Ａ】
2013531583.tif 000042
【図３０Ｂ】
2013531583.tif 000043
【図３１】
2013531583.tif 000044
【図３２】
2013531583.tif 000045
【図３３】
2013531583.tif 000046
【手続補正書】
【提出日】平成24年8月3日(2012.8.3)
【手続補正１】
【補正対象書類名】特許請求の範囲
【補正対象項目名】全文
【補正方法】変更
【補正の内容】
【特許請求の範囲】
【請求項１】
移動するカバー（Ｅ1、Ｅ2）に１つ以上の物品（Ｇ1、Ｇ2）を挿入する装置であって、
カバー搬送機構（１００）と、
少なくとも部分的に前記移動するカバー（Ｅ1、Ｅ2）内に移送し、前記カバー（Ｅ1、Ｅ2）の移送の少なくとも一部の間、前記移動するカバー（Ｅ1、Ｅ2）の範囲内に維持されるように構成された、少なくとも１つの装填補助機構と、
を備えた、装置。
【請求項２】
前記カバー（Ｅ1，Ｅ2）と前記１つ以上の物品（Ｇ1，Ｇ2）を移送することができるパスを備え、前記装填補助機構（３１９，３２９）は、前記パスの少なくとも一部に沿って移送されるように構成された、請求項１に記載の装置。
【請求項３】
前記パスは、前記カバーの搬送方向と前記物品の搬送方向に延在し、前記カバーの開口部が、前記カバーの搬送方向（Ｆ）に対して横方向に配置された、請求項２に記載の装置。
【請求項４】
前記装填補助機構（３１０、３２０）は、コンベヤ（３０２、３０４）を備えた、請求項１〜３のいずれかに記載の装置。
【請求項５】
前記装填補助機構（３１０、３２０）は、前記コンベヤ（３０２，３０４）に対して着脱自在にマウントされた、請求項４に記載の装置。
【請求項６】
前記コンベヤ（３０２、３０４）に沿って連続的に配置された少なくとも２つの前記装填補助機構（３１０、３２０）が提供された、請求項４または５に記載の装置。
【請求項７】
前記少なくとも２つの装填補助機構（３１０、３２０）は、前記コンベヤ（３０２、３０４）に選択的に接続可能である、請求項６に記載の装置。
【請求項８】
前記装填補助機構（３１０、３２０）のコンベヤは、前記パスの第１のサイド上に、前記パスの少なくとも一部に沿って配置された第１のコンベヤ（３０２）と、前記第１のサイドの反対側の前記パスの第２のサイド上に、前記パスの少なくとも一部に沿って配置された第２のコンベヤ（３０４）とを備えた、請求項４〜７のいずれかに記載の装置。
【請求項９】
前記装填補助機構（３１０、３２０）は、物品移送方向（Ｆ）に対して横方向においてお互いから距離を持って配置された少なくとも２つの装填エレメントを備えた、請求項１〜８のいずれかに記載の装置。
【請求項１０】
前記装填エレメントは、前記カバー（Ｅ1、Ｅ2）内に、横方向または上から移送されるように配置された、請求項９に記載の装置。
【請求項１１】
前記装填エレメントの距離は、前記挿入される１つ以上の物品（Ｇ1、Ｇ2）に依存して調節可能である、請求項９または１０に記載の装置。
【請求項１２】
前記装填補助機構（３１０、３２０）は、物品移送方向（Ｆ）に沿って前方端と後方端を備え、前記装填補助機構（３１０、３２０）は、前方端に向かって狭くなる、請求項１〜１１のいずれかに記載の装置。
【請求項１３】
前記装填補助機構（３１０、３２０）は、挿入の間、前記１つ以上の物品（Ｇ1、Ｇ2）がその間で移送される下部ガイド（３１０ａ）と上部ガイド（３１０ｂ）を備え、前記上部ガイドと下部ガイド（３１０ａ、３１０ｂ）は、お互いに対して相対的に移動可能であり、前記上部ガイドと下部ガイド（３１０ａ、３１０ｂ）の間の距離は、前記１つ以上の物品（Ｇ1、Ｇ2）の厚さに適合することができる、請求項１２に記載の装置。
【請求項１４】
前記装填補助機構（３１０、３２０）と前記カバー搬送機構は、それぞれドライブを備える、請求項１〜１３のいずれかに記載の装置。
【請求項１５】
前記カバー搬送機構（１００）と前記装填補助機構（３１０、３２０）は、お互いに独立して駆動され、前記装填補助機構（３１０、３２０）は、前記カバー搬送機構（１００）が前記カバー（Ｅ1、Ｅ2）を移送する速度に対して遅いまたは等しい第１の速度で移送されるように構成された、請求項１〜１４のいずれかに記載の装置。
【請求項１６】
前記装填補助機構（３１０、３２０）が前記カバー（Ｅ1、Ｅ2）内に移送される深さを調整するように動作する制御装置を備えた、請求項１〜１５のいずれかに記載の装置。
【請求項１７】
前記装填補助機構（３１０、３２０）は、前記カバー（Ｅ1、Ｅ2）内に、予め定められた距離だけ移送されるように構成された、請求項１〜１６に記載された装置。
【請求項１８】
前記予め定められた距離は、調節可能である、請求項１７に記載の装置。
【請求項１９】
前記予め定められた距離は、前記カバー（Ｅ1、Ｅ2）の特性、および／または、前記カバー（Ｅ1、Ｅ2）内に挿入される前記１つ以上の物品（Ｇ1、Ｇ2）の特性に依存する、請求項１８に記載の装置。
【請求項２０】
前記１つ以上の物品（Ｇ1、Ｇ2）の特性は、前記１つ以上の物品（Ｇ1、Ｇ2）の厚さまたはフォーマットを含み、前記１つ以上の物品（Ｇ1、Ｇ2）の厚さは、多数の個々のエレメントによって決定することができる、請求項１９に記載の装置。
【請求項２１】
前記カバー（Ｅ1、Ｅ2）は、包装材を含み、前記包装材は、包装材フラップ（Ｆ1、Ｆ2）を備える第１のサイドと、前記包装材フラップを有するサイドの反対にある第２のサイドとを備えた、請求項１〜２０のいずれかに記載の装置。
【請求項２２】
前記装填補助機構（３１０、３２０）は、移動可能であり、装填プロセスの始めに、前記装填補助機構（３１０、３２０）を予め定められた距離だけ前記包装材内に移送する制御が提供され、前記１つ以上の物品（Ｇ1、Ｇ2）を挿入する挿入装置において、前記包装材の開口を維持する装置が提供される、請求項２１に記載の装置。
【請求項２３】
付加的なカバー搬送機構（８００）を備える、請求項１〜２２のいずれかに記載の装置。
【請求項２４】
前記付加的カバー搬送機構（８００）は、前記装填された包装材を、前記カバー搬送機構（１００）より速い、前記装填補助機構（３００）の速度より速い、および／または、前記物品搬送機構（４００）の速度より速い速度で搬送するように構成された、請求項２３に記載の装置。
【請求項２５】
前記付加的カバー搬送機構（８００）は、吸引搬送機構を備えた、請求項２３または２４に記載の装置。
【請求項２６】
移動するカバー（Ｅ1、Ｅ2）内に１つ以上の物品（Ｇ1、Ｇ2）を挿入する方法であって、
前記カバー（Ｅ1、Ｅ2）を移送するステップと、
装填補助機構（３１０、３２０）を、少なくとも部分的に前記移動するカバー（Ｅ1、Ｅ2）内に移送するステップと、
前記装填補助機構（３１０、３２０）が、前記カバー（Ｅ1、Ｅ2）の移送の少なくとも一部の間、前記移動するカバー（Ｅ1、Ｅ2）の範囲内に配置されるように、前記カバー（Ｅ1、Ｅ2）と前記装填補助機構（３１０、３２０）を移送するステップと、
を備えた、方法。
【請求項２７】
前記装填補助機構（３１０、３２０）を、予め定められた距離だけ前記カバー（Ｅ1、Ｅ2）内に移送する、請求項２６に記載の方法。
【請求項２８】
前記装填補助機構（３１０、３２０）を前記カバー（Ｅ1、Ｅ2）内に移送する深さが調整される、請求項２６または２７に記載の方法。
【請求項２９】
前記１つ以上の物品（Ｇ1、Ｇ2）が少なくとも部分的に前記カバー（Ｅ1、Ｅ2）内に配置されるときに、前記装填補助機構（３１０、３２０）が前記カバー（Ｅ1、Ｅ2）から除去される、請求項２６〜２８のいずれかに記載の方法。
【請求項３０】
前記装填補助機構（３１０、３２０）が、能動的にまたは受動的に前記カバー（Ｅ1、Ｅ2）から除去される、請求項２９に記載の方法。
【請求項３１】
前記装填補助機構（３１０、３２０）の前記カバー（Ｅ1、Ｅ2）からの能動的な除去は、前記装填補助機構（３１０、３２０）を前記カバー（Ｅ1、Ｅ2）から追いやるステップ、または、前記装填補助機構（３１０、３２０）を外に揺らすステップを備え、受動的な除去は、前記カバー（Ｅ1、Ｅ2）を、前記装填補助機構（３１０、３２０）よりも速く移送するステップを備える、請求項３０に記載の方法。
【請求項３２】
前記装填補助機構（３１０、３２０）は、前記カバー（Ｅ1、Ｅ2）の装填の間または後に、前記カバー（Ｅ1、Ｅ2）から除去される、請求項２９〜３１に記載の方法。
【請求項３３】
前記装填補助機構（３１０、３２０）は、前記１つ以上の物品（Ｇ1、Ｇ2）を挿入する挿入装置において、前記カバー（Ｅ1、Ｅ2）の開口を維持するために、前記装填プロセスの始めにおいて、前記カバー（Ｅ1、Ｅ2）内に予め定められた距離だけ移送される、請求項２６〜３２のいずれかに記載の方法。
【手続補正書】
【提出日】平成25年1月8日(2013.1.8)
【手続補正１】
【補正対象書類名】特許請求の範囲
【補正対象項目名】全文
【補正方法】変更
【補正の内容】
【特許請求の範囲】
【請求項１】
移動するカバー（Ｅ1、Ｅ2）に１つ以上の物品（Ｇ1、Ｇ2）を挿入する装置であって、
カバー搬送機構（１００）と、
少なくとも部分的に前記移動するカバー（Ｅ1、Ｅ2）内に移送し、前記カバー（Ｅ1、Ｅ2）の移送の少なくとも一部の間、前記移動するカバー（Ｅ1、Ｅ2）の範囲内に維持されるように構成された、少なくとも１つの装填補助機構と、
を備えた、装置。
【請求項２】
前記カバー（Ｅ1，Ｅ2）と前記１つ以上の物品（Ｇ1，Ｇ2）を移送することができるパスを備え、前記装填補助機構（３１９，３２９）は、前記パスの少なくとも一部に沿って移送されるように構成された、請求項１に記載の装置。
【請求項３】
前記パスは、前記カバーの搬送方向と前記物品の搬送方向に延在し、前記カバーの開口部が、前記カバーの搬送方向（Ｆ）に対して横方向に配置された、請求項２に記載の装置。
【請求項４】
前記装填補助機構（３１０、３２０）は、コンベヤ（３０２、３０４）を備えた、請求項１〜３のいずれかに記載の装置。
【請求項５】
前記装填補助機構（３１０、３２０）のコンベヤは、前記パスの第１のサイド上に、前記パスの少なくとも一部に沿って配置された第１のコンベヤ（３０２）と、前記第１のサイドの反対側の前記パスの第２のサイド上に、前記パスの少なくとも一部に沿って配置された第２のコンベヤ（３０４）とを備えた、請求項４に記載の装置。
【請求項６】
前記装填補助機構（３１０、３２０）は、物品移送方向（Ｆ）に対して横方向においてお互いから距離を持って配置された少なくとも２つの装填エレメントを備えた、請求項１〜５のいずれかに記載の装置。
【請求項７】
前記装填補助機構（３１０、３２０）は、物品移送方向（Ｆ）に沿って前方端と後方端を備え、前記装填補助機構（３１０、３２０）は、前方端に向かって狭くなる、請求項１〜６のいずれかに記載の装置。
【請求項８】
前記装填補助機構（３１０、３２０）と前記カバー搬送機構は、それぞれドライブを備える、請求項１〜７のいずれかに記載の装置。
【請求項９】
前記装填補助機構（３１０、３２０）が前記カバー（Ｅ1、Ｅ2）内に移送される深さを調整するように動作する制御装置を備えた、請求項１〜８のいずれかに記載の装置。
【請求項１０】
前記装填補助機構（３１０、３２０）は、前記カバー（Ｅ1、Ｅ2）内に、予め定められた距離だけ移送されるように構成された、請求項１〜９に記載された装置。
【請求項１１】
前記予め定められた距離は、調節可能である、請求項１０に記載の装置。
【請求項１２】
前記予め定められた距離は、前記カバー（Ｅ1、Ｅ2）の特性、および／または、前記カバー（Ｅ1、Ｅ2）内に挿入される前記１つ以上の物品（Ｇ1、Ｇ2）の特性に依存する、請求項１１に記載の装置。
【請求項１３】
前記カバー（Ｅ1、Ｅ2）は、包装材を含み、前記包装材は、包装材フラップ（Ｆ1、Ｆ2）を備える第１のサイドと、前記包装材フラップを有するサイドの反対にある第２のサイドとを備えた、請求項１〜１２のいずれかに記載の装置。
【請求項１４】
移動するカバー（Ｅ1、Ｅ2）内に１つ以上の物品（Ｇ1、Ｇ2）を挿入する方法であって、
前記カバー（Ｅ1、Ｅ2）を移送するステップと、
装填補助機構（３１０、３２０）を、少なくとも部分的に前記移動するカバー（Ｅ1、Ｅ2）内に移送するステップと、
前記装填補助機構（３１０、３２０）が、前記カバー（Ｅ1、Ｅ2）の移送の少なくとも一部の間、前記移動するカバー（Ｅ1、Ｅ2）の範囲内に配置されるように、前記カバー（Ｅ1、Ｅ2）と前記装填補助機構（３１０、３２０）を移送するステップと、
を備えた、方法。
【請求項１５】
前記装填補助機構（３１０、３２０）を、予め定められた距離だけ前記カバー（Ｅ1、Ｅ2）内に移送する、請求項１４に記載の方法。
【請求項１６】
前記装填補助機構（３１０、３２０）を前記カバー（Ｅ1、Ｅ2）内に移送する深さが調整される、請求項１４または１５に記載の方法。
【請求項１７】
前記装填補助機構（３１０、３２０）は、前記カバー（Ｅ1、Ｅ2）の装填の間または後に、前記カバー（Ｅ1、Ｅ2）から除去される、請求項１４〜１６に記載の方法。
【請求項１８】
前記装填補助機構（３１０、３２０）は、前記１つ以上の物品（Ｇ1、Ｇ2）を挿入する挿入装置において、前記カバー（Ｅ1、Ｅ2）の開口を維持するために、前記装填プロセスの始めにおいて、前記カバー（Ｅ1、Ｅ2）内に予め定められた距離だけ移送される、請求項１４〜１７のいずれかに記載の方法。
【国際調査報告】
2013531583.tif 000047
2013531583.tif 000048
2013531583.tif 000049